(57)【要約】      （修正有）【課題】節電アドバイスの有効性を評価可能な節電アドバイスに基づいて視聴するコンテンツ視聴装置を提供する。【解決手段】節電アドバイスを提供する期間の宅内電力消費量の総量である地域電力消費量に基づいて節電アドバイスに順位を付ける。節電アドバイスを提供する際、提供する節電アドバイスに付けられたコンテンツ視聴順位をコンテンツ視聴装置にあわせて提供提供する。コンテンツ視聴装置は節電アドバイスに従いコンテンツを視聴する。【選択図】図１１Ａ
2014026330.tif 000002
【特許請求の範囲】
【請求項１】
節電アドバイスと、節電アドバイス毎につけた順位である節電アドバイス順位と、を含んだコンテンツを利用者に視聴させるコンテンツ視聴装置を備えることを特徴とする地域電力管理システム。
【請求項２】
前記地域電力管理システムであって、
前記節電アドバイスを提供した期間の宅内電力消費量の総量である地域電力消費量に基づいて、前記節電アドバイス順位を更新するアドバイス順位更新装置を備える
ことを特徴とする請求項１に記載の地域電力管理システム。
【請求項３】
地域電力管理システムであって、
負荷装置種別毎に、
前記節電アドバイスを提供した期間の宅内電力消費量の総量である地域電力消費量に基づいて、前記節電アドバイス順位を更新するアドバイス順位更新装置を備える
ことを特徴とする請求項１に記載の地域電力管理システム。
【請求項４】
地域電力管理装置とコンテンツ提供装置とをさらに含んで構成される前記地域電力管理システムであって、
前記地域電力管理装置と前記コンテンツ提供装置とは、
前記宅内電力消費量が取得された時刻を宅内電力消費量取得時刻とし、前記宅内電力消費量取得時刻と前記宅内電力消費量とを関係付けて蓄積することが可能な宅内電力消費量記憶装置を共有し、
前記コンテンツ提供装置は、
前記節電アドバイスを提供した期間に含まれる前記宅内電力消費量取得時刻と関係付けて前記宅内電力消費量記憶装置に蓄積されている前記宅内電力消費量の総量を地域電力消費量とし、前記地域電力消費量を算出する地域電力消費量算出装置と、
前記節電アドバイスと前記地域電力消費量と前記節電アドバイス順位とを関係付けて蓄積することが可能なアドバイス記憶装置と、
前記節電アドバイスと前記地域電力消費量とを関係付けて前記アドバイス記憶装置に蓄積する地域電力消費量蓄積装置と、
前記アドバイス記憶装置に蓄積されている前記地域電力消費量に基づいて、前記アドバイス記憶装置に蓄積されている前記節電アドバイス順位を更新する前記アドバイス順位更新装置と、
を備える
ことを特徴とする請求項２に記載の地域電力管理システム。
【請求項５】
地域電力管理装置とコンテンツ提供装置とをさらに含んで構成される前記地域電力管理システムであって、
前記地域電力管理装置と前記コンテンツ提供装置とは、
前記宅内電力消費量が取得された時刻を宅内電力消費量取得時刻とし、前記宅内電力消費量取得時刻と前記宅内電力消費量とを関係付けて蓄積することが可能な宅内電力消費量記憶装置と、
部分電力消費量取得時刻と部分電力消費量とを関係付けて記憶することが可能な部分電力消費量記憶装置と、
を共有し、
予め定められた期間に含まれる前記宅内電力消費量取得時刻と関係付けて前記宅内電力消費量記憶装置に蓄積されている前記宅内電力消費量の総量である前記部分電力消費量と、前記予め定められた期間に基づいた前記部分電力消費量取得時刻と、を算出する部分電力消費量算出装置を備え、
前記コンテンツ提供装置は、
前記節電アドバイスを提供した期間に含まれる前記部分電力消費量取得時刻と関係付けて前記部分電力消費量記憶装置に蓄積されている前記部分電力消費量の総量を地域電力消費量とし、前記地域電力消費量を算出する地域電力消費量算出装置と、
前記節電アドバイスと前記地域電力消費量と前記節電アドバイス順位とを関係付けて蓄積することが可能なアドバイス記憶装置と、
前記節電アドバイスと前記地域電力消費量とを関係付けて前記アドバイス記憶装置に蓄積する地域電力消費量蓄積装置と、
前記アドバイス記憶装置に蓄積されている前記地域電力消費量に基づいて、前記アドバイス記憶装置に蓄積されている前記節電アドバイス順位を更新する前記アドバイス順位更新装置と、
を備える
ことを特徴とする請求項２に記載の地域電力管理システム。
【請求項６】
地域電力管理装置とコンテンツ提供装置をさらに含んで構成される前記地域電力管理システムであって、
前記地域電力管理装置と前記コンテンツ提供装置とは、
前記宅内電力消費量が取得された時刻を宅内電力消費量取得時刻とし、前記宅内電力消費量取得時刻と前記宅内電力消費量と前記負荷装置種別とを関係付けて蓄積することが可能な宅内電力消費量記憶装置
を共有し、
前記宅内電力消費量記憶装置に蓄積されている前記負荷装置種別と関係付けて、前記宅内電力消費量記憶装置に蓄積されている、前記宅内電力消費量取得時刻と前記宅内電力消費量とにおいて、
前記コンテンツ提供装置は、
前記節電アドバイスを提供した期間に含まれる前記宅内電力消費量取得時刻と関係付けて前記宅内電力消費量記憶装置に蓄積されている前記宅内電力消費量の総量を地域電力消費量とし、前記地域電力消費量を算出する地域電力消費量算出装置と、
前記節電アドバイスと前記地域電力消費量と前記節電アドバイス順位とを関係付けて蓄積することが可能なアドバイス記憶装置と、
前記節電アドバイスと前記地域電力消費量とを関係付けて前記アドバイス記憶装置に蓄積する地域電力消費量蓄積装置と、
前記アドバイス記憶装置に蓄積されている前記地域電力消費量に基づいて、前記アドバイス記憶装置に蓄積されている前記節電アドバイス順位を更新する前記アドバイス順位更新装置と、
を備える
ことを特徴とする請求項３に記載の地域電力管理システム。
【請求項７】
地域電力管理装置とコンテンツ提供装置とをさらに含んで構成される前記地域電力管理システムであって、
前記地域電力管理装置と前記コンテンツ提供装置とは、
前記宅内電力消費量が取得された時刻を宅内電力消費量取得時刻とし、前記宅内電力消費量取得時刻と前記宅内電力消費量と前記負荷装置種別とを関係付けて蓄積することが可能な宅内電力消費量記憶装置と、
部分電力消費量取得時刻と部分電力消費量と前記負荷装置種別とを関係付けて記憶することが可能な部分電力消費量記憶装置と、
を共有し、
前記宅内電力消費量記憶装置に蓄積されている前記負荷装置種別と関係付けて、前記宅内電力消費量記憶装置に蓄積されている、前記宅内電力消費量取得時刻と前記宅内電力消費量とにおいて、
前記地域電力管理装置は、
予め定められた期間に含まれる前記宅内電力消費量取得時刻と関係付けて前記宅内電力消費量記憶装置に蓄積されている前記宅内電力消費量の総量である前記部分電力消費量と、前記予め定められた期間に基づいた前記部分電力消費量取得時刻と、を算出する部分電力消費量算出装置
を備え、
前記コンテンツ提供装置は、
前記節電アドバイスを提供した期間に含まれる前記部分電力消費量取得時刻と関係付けて前記部分電力消費量記憶装置に蓄積されている前記部分電力消費量の総量を地域電力消費量とし、前記地域電力消費量を算出する地域電力消費量算出装置と、
前記節電アドバイスと前記地域電力消費量と前記節電アドバイス順位とを関係付けて蓄積することが可能なアドバイス記憶装置と、
前記節電アドバイスと前記地域電力消費量とを関係付けて前記アドバイス記憶装置に蓄積する地域電力消費量蓄積装置と、
前記アドバイス記憶装置に蓄積されている前記地域電力消費量に基づいて、前記アドバイス記憶装置に蓄積されている前記節電アドバイス順位を更新する前記アドバイス順位更新装置と、
を備える
ことを特徴とする請求項３に記載の地域電力管理システム。
【請求項８】
一つの負荷装置又は複数の負荷装置又は分電装置と、宅内電力管理装置とをさらに含んで構成される前記地域電力管理システムであって、
前記負荷装置及び前記分電装置は、
予め定められた周期で、前記宅内電力消費量取得時刻と前記宅内電力消費量とを取得する宅内電力消費量取得装置と、
前記宅内電力消費量取得時刻と前記宅内電力消費量とを前記宅内電力管理装置に対して送信する送信装置と、
を備え、
前記宅内電力管理装置は、
前記宅内電力消費量取得時刻と前記宅内電力消費量とを関係付けて蓄積することが可能な宅内電力消費量記憶装置と、
前記宅内電力消費量取得時刻と前記宅内電力消費量とを受信する受信装置と、
前記宅内電力消費量取得時刻と前記宅内電力消費量とを前記宅内電力消費量記憶装置に蓄積する宅内電力消費量蓄積装置と、
予め定められた周期で、前記宅内電力消費量記憶装置に蓄積されている前記宅内電力消費量取得時刻と前記宅内電力消費量とを取得する宅内電力消費量取得装置と、
前記宅内電力消費量取得時刻と前記宅内電力消費量とを前記地域電力管理装置に対して送信する送信装置と、
を備え、
前記地域電力管理装置は、
前記宅内電力消費量取得時刻と前記宅内電力消費量とを受信する受信装置と、
前記宅内電力消費量取得時刻と前記宅内電力消費量とを関係付けて前記宅内電力消費量記憶装置に蓄積する宅内電力消費量蓄積装置と、
を備える
ことを特徴とする請求項２又は請求項４又は請求項５に記載の地域電力管理システム。
【請求項９】
一つの負荷装置又は複数の負荷装置と、分電装置と、のいずれか又は両方と、宅内電力管理装置とをさらに含んで構成される前記地域電力管理システムであって、
前記負荷装置及び前記分電装置は、
予め定められた周期で、前記宅内電力消費量取得時刻と前記宅内電力消費量とを取得する宅内電力消費量取得装置と、
前記宅内電力消費量取得時刻と前記宅内電力消費量と前記負荷装置種別とを前記宅内電力管理装置に対して送信する送信装置と、
を備え、
前記宅内電力管理装置は、
前記宅内電力消費量取得時刻と前記宅内電力消費量と前記負荷装置種別とを関係付けて蓄積することが可能な宅内電力消費量記憶装置と、
前記宅内電力消費量取得時刻と前記宅内電力消費量と前記負荷装置種別とを受信する受信装置と、
前記宅内電力消費量取得時刻と前記宅内電力消費量と前記負荷装置種別とを前記宅内電力消費量記憶装置に蓄積する宅内電力消費量蓄積装置と、
予め定められた周期で、前記宅内電力消費量記憶装置に蓄積されている前記宅内電力消費量取得時刻と前記宅内電力消費量と前記負荷装置種別とを取得する宅内電力消費量取得装置と、
前記宅内電力消費量取得時刻と前記宅内電力消費量と前記負荷装置種別とを前記地域電力管理装置に対して送信する送信装置と、
を備え、
前記地域電力管理装置は、
前記宅内電力消費量取得時刻と前記宅内電力消費量と前記負荷装置種別とを関係付けて蓄積することが可能な宅内電力消費量記憶装置と、
前記宅内電力消費量取得時刻と前記宅内電力消費量と前記負荷装置種別とを受信する受信装置と、
前記宅内電力消費量取得時刻と前記宅内電力消費量と前記負荷装置種別とを前記宅内電力消費量記憶装置に蓄積する宅内電力消費量蓄積装置と、
を備える
ことを特徴とする請求項２から請求項７までのいずれか１項に記載の地域電力管理システム。
【請求項１０】
コンテンツ受信装置をさらに含んで構成される前記地域電力管理システムであって、
前記コンテンツ受信装置は、
前記コンテンツ提供装置にコンテンツ要求信号を送信する送信装置
を備え、
前記コンテンツ提供装置は、
前記コンテンツ要求信号を受信する受信装置と、
予め定められた周期で、前記アドバイス記憶装置に蓄積されている、いずれか一つ又は複数の前記節電アドバイスと前記節電アドバイス順位と、を取得するアドバイス取得装置と、
前記節電アドバイスと前記節電アドバイス順位とを含んだコンテンツを作成するコンテンツ作成装置と、
前記コンテンツを前記コンテンツ受信装置に対して送信する送信装置と、
を備え、
前記コンテンツ受信装置は、
前記コンテンツを受信する受信装置と、前記コンテンツを利用者に視聴させる前記コンテンツ視聴装置と、
を備える
ことを特徴とする請求項４から請求項９までのいずれか１項に記載の地域電力管理システム。
【請求項１１】
コンテンツ受信装置をさらに含んで構成される前記地域電力管理システムであって、
前記コンテンツ受信装置は、
前記コンテンツ提供装置にコンテンツ要求信号を送信する送信装置
を備え、
前記コンテンツ提供装置は、
前記コンテンツ要求信号を受信する受信装置と、
予め定められた周期で、前記負荷装置種別毎に、前記アドバイス記憶装置に蓄積されている、いずれか一つ又は複数の前記節電アドバイスと前記節電アドバイス順位と、を取得するアドバイス取得装置と、
前記節電アドバイスと前記節電アドバイス順位とを含んだコンテンツを作成するコンテンツ作成装置と、
を備え、
前記コンテンツ受信装置は、
前記コンテンツを受信する受信装置と、前記コンテンツを利用者に視聴させる前記コンテンツ視聴装置と、
を備える
ことを特徴とする請求項４から請求項９までのいずれか１項に記載の地域電力管理システム。
【請求項１２】
コンテンツ受信装置をさらに含んで構成される前記地域電力管理システムであって、
前記地域電力管理装置と前記コンテンツ提供装置とは、
前記宅内電力消費量が取得された時刻を宅内電力消費量取得時刻とし、宅内電力管理装置毎に異なる識別子と前記宅内電力消費量取得時刻と前記宅内電力消費量とを関係付けて蓄積することが可能な宅内電力消費量記憶装置を共有し、
前記宅内電力管理装置は、
前記宅内電力管理装置毎に異なる識別子と前記宅内電力消費量取得時刻と前記宅内電力消費量とを前記地域電力管理装置に対して送信する送信装置
を備え、
前記地域電力管理装置は、
前記宅内電力管理装置毎に異なる識別子と前記宅内電力消費量取得時刻と前記宅内電力消費量とを受信する受信装置と、
前記宅内電力管理装置毎に異なる識別子と前記宅内電力消費量取得時刻と前記宅内電力消費量とを関係付けて前記宅内電力消費量記憶装置に蓄積する宅内電力消費量蓄積装置と、
を備え、
前記コンテンツ受信装置は、
前記コンテンツ提供装置に前記宅内電力管理装置毎に異なる識別子とコンテンツ要求信号とを送信する送信装置
を備え、
前記コンテンツ提供装置は、
前記宅内電力管理装置毎に異なる識別子と前記コンテンツ要求信号とを受信する受信装置と、
予め定められた周期で、前記アドバイス記憶装置に蓄積されている、いずれか一つ又は複数の前記節電アドバイスと前記節電アドバイス順位とを取得するアドバイス取得装置と、
予め定められた周期で、前記宅内電力管理装置毎に異なる識別子と関係付けて前記宅内電力消費量記憶装置に蓄積されている前記宅内電力消費量の内、前記節電アドバイスが提供されている期間に含まれる前記宅内電力消費量取得時刻と関係付けて前記宅内電力消費量記憶装置に蓄積されている前記宅内電力消費量の総量をアドバイス電力消費量とし、
前記節電アドバイスと前記節電アドバイス順位と前記アドバイス電力消費量とを含んだコンテンツを作成するコンテンツ作成装置と、
前記コンテンツを前記サービス受信装置に対して送信する送信装置と、
を備え、
前記コンテンツ受信装置は、
前記コンテンツを受信する受信装置と、前記コンテンツを利用者に視聴させる前記コンテンツ視聴装置と、
を備える
ことを特徴とする請求項４から請求項９までのいずれか１項に記載の地域電力管理システム。
【請求項１３】
コンテンツ受信装置をさらに含んで構成される前記地域電力管理システムであって、
前記地域電力管理装置と前記コンテンツ提供装置とは、
前記宅内電力消費量が取得された時刻を宅内電力消費量取得時刻とし、宅内電力管理装置毎に異なる識別子と前記宅内電力消費量取得時刻と前記宅内電力消費量とを関係付けて蓄積することが可能な宅内電力消費量記憶装置を共有し、
前記宅内電力管理装置は、
前記宅内電力管理装置毎に異なる識別子と前記宅内電力消費量取得時刻と前記宅内電力消費量とを前記地域電力管理装置に対して送信する送信装置
を備え、
前記地域電力管理装置は、
前記宅内電力管理装置毎に異なる識別子と前記宅内電力消費量取得時刻と前記宅内電力消費量とを受信する受信装置と、
前記宅内電力管理装置毎に異なる識別子と前記宅内電力消費量取得時刻と前記宅内電力消費量とを関係付けて前記宅内電力消費量記憶装置に蓄積する宅内電力消費量蓄積装置と、
を備え、
前記コンテンツ受信装置は、
前記コンテンツ提供装置に前記宅内電力管理装置毎に異なる識別子とコンテンツ要求信号とを送信する送信装置
を備え、
前記コンテンツ提供装置は、
前記宅内電力管理装置毎に異なる識別子と前記コンテンツ要求信号とを受信する受信装置と、
予め定められた周期で、前記負荷装置種別毎に、前記アドバイス記憶装置に蓄積されている、いずれか一つ又は複数の前記節電アドバイスと前記節電アドバイス順位と、を取得するアドバイス取得装置と、
予め定められた周期で、前記宅内電力管理装置毎に異なる識別子と関係付けて前記宅内電力消費量記憶装置に蓄積されている前記宅内電力消費量の内、前記節電アドバイスが提供されている期間に含まれる前記宅内電力消費量取得時刻と関係付けて前記宅内電力消費量記憶装置に蓄積されている前記宅内電力消費量の総量をアドバイス電力消費量とし、前記節電アドバイスと前記節電アドバイス順位と前記アドバイス電力消費量とを含んだコンテンツを作成するコンテンツ作成装置と、
を備え、
前記コンテンツ受信装置は、
前記コンテンツを受信する受信装置と、前記コンテンツを利用者に視聴させる前記コンテンツ視聴装置と、
を備える
ことを特徴とする請求項４から請求項９までのいずれか１項に記載の地域電力管理システム。
【請求項１４】
地域電力管理方法であって、
前記節電アドバイスを提供した期間の宅内電力消費量の総量である地域電力消費量に基づいて、前記節電アドバイス毎につけた順位である節電アドバイス順位を更新する節電アドバイス順位更新ステップを有することを特徴とする地域電力管理方法。
【請求項１５】
請求項１４に記載の地域電力管理方法を、コンピュータに実行させるためのプログラム。
【発明の詳細な説明】
【技術分野】
【０００１】
本発明は、節電アドバイス提供技術に関する。
【背景技術】
【０００２】
従来、エネルギー供給者は、電力会社およびガス会社等のエネルギー供給事業者に限定されていた。しかし、現在、再生可能エネルギーの普及によってエネルギー供給事業者以外もエネルギーを創造し、供給する立場となってきており、今後も、この傾向は益々加速していくものと考えられる。
【０００３】
一方、再生可能エネルギーは環境の影響を受けるため、安定的にエネルギーを供給することが難しいという課題がある。この課題に対して情報技術を活用して、エネルギー供給事業者から提供されるエネルギー、再生可能エネルギー、蓄積／放出が可能なエネルギー等の全体のエネルギーを管理し、再生可能エネルギーが変動したとしても、全体でエネルギーを平準化することで安定化を図るスマートグリッドが提案された。
【０００４】
また、スマートグリッドは全体のエネルギーの管理が可能であるため、障害の早期検知や予防保守の強化をおこなえることからも注目され、多くの研究、開発および実証実験等がおこなわれるようになってきている。
【０００５】
また、エネルギー消費という観点でも近年、新たな変化があらわれ始めている。
例えば、複数のエネルギーから二酸化炭素排出量および料金が安いエネルギーを選択すること等を自動的におこなう宅内エネルギー管理システム（ＨＥＭＳ：Ｈｏｍｅ  Ｅｎｅｒｇｙ  Ｍａｎａｇｅｍｅｎｔ  Ｓｙｓｔｅｍ）の普及によって、高度なエネルギー利用が可能になると期待される。
【０００６】
上述のエネルギーの管理手法については、先行技術文献として、非特許文献１と非特許文献２と特許文献１と特許文献２とが開示されている。これらの内容について以下に簡単に説明する。
【０００７】
はじめに、非特許文献１では、消費電力、動作状態及びセンサ値等の機器情報が、地域情報管理装置が備える記憶装置に蓄積され、サービス提供者は地域情報管理装置が備える記憶装置に蓄積されている機器情報を利用したサービスを提供する、地域情報管理システムの概要が開示されている。
【０００８】
地域情報管理システムの一例を図１に示した。
図１によれば、地域情報管理システムは、宅内機器１（１０１）と宅内機器２（１０２）と宅内機器３（１０３）から宅内機器ｎ（１０ｎ）までと、宅内情報管理装置１（１１１）と宅内情報管理装置２（１１２）と宅内情報管理装置３（１１３）から宅内情報管理装置ｎ（１１ｎ）までと、地域情報管理装置（１２１）と、コンテンツ提供装置１（１３１）とコンテンツ提供装置２（１３２）とコンテンツ提供装置３（１３３）からコンテンツ提供装置ｎ（１３ｎ）までと、コンテンツ視聴装置１（１４１）とコンテンツ視聴装置２（１４２）とコンテンツ視聴装置３（１４３）からコンテンツ視聴装置ｎ（１４ｎ）までと、を含んで構成され、宅内機器１（１０１）と宅内情報管理装置１（１１１）とが電気通信回線で接続され、宅内機器２（１０２）と宅内情報管理装置１（１１１）とが電気通信回線で接続され、宅内機器３（１０３）から宅内機器ｎ（１０ｎ）までの各々と宅内情報管理装置１（１１１）とが電気通信回線を介して接続され、宅内情報管理装置１（１１１）と地域情報管理装置（１２１）とが電気通信回線を介して接続され、宅内情報管理装置２（１１２）と地域情報管理装置（１２１）とが電気通信回線を介して接続され、宅内情報管理装置３（１１３）から宅内情報管理装置ｎ（１１ｎ）までの各々と地域情報管理装置（１２１）とが電気通信回線を介して接続され、地域情報管理装置（１２１）とコンテンツ提供装置１（１３１）とが電気通信回線を介して接続され、地域情報管理装置（１２１）とコンテンツ提供装置２（１３２）とが電気通信回線を介して接続され、地域情報管理装置（１２１）とコンテンツ提供装置３（１３３）からコンテンツ提供装置ｎ（１３ｎ）までの各々とが電気通信回線を介して接続され、コンテンツ提供装置１（１３１）とコンテンツ視聴装置１（１４１）とが電気通信回線を介して接続され、コンテンツ提供装置１（１３２）とコンテンツ視聴装置２（１４２）とが電気通信回線で接続され、コンテンツ提供装置１（１３１）とコンテンツ視聴装置３（１４３）からコンテンツ視聴装置ｎ（１４ｎ）までの各々とが電気通信回線を介して接続されている。但し、ｎは正の整数とする。
【０００９】
以下、図１に示す地域情報管理システムの動作例について説明する。
はじめに、宅内機器１（１０１）と宅内機器２（１０２）と宅内機器３（１０３）から宅内機器ｎ（１０ｎ）までの各々とが、保持している機器情報を宅内情報管理装置１（１１１）に対して送信する。
【００１０】
次に、宅内情報管理装置１（１１１）が、宅内機器１（１０１）と宅内機器２（１０２）と宅内機器３（１０３）から宅内機器ｎ（１０ｎ）までの各々と、から送信された機器情報を受信した場合、宅内情報管理装置１（１１１）は、受信された機器情報を宅内情報管理装置１（１１１）が備える記憶装置に蓄積する。
【００１１】
次に、宅内情報管理装置１（１１１）と宅内情報管理装置２（１１２）と宅内情報管理装置３（１１３）から宅内情報管理装置ｎ（１１ｎ）までの各々とが、各々が備える記憶装置に蓄積されている機器情報を地域情報管理装置（１２１）に対して送信する。
【００１２】
次に、地域情報管理装置（１２１）が、宅内情報管理装置１（１１１）と宅内情報管理装置２（１１２）と宅内情報管理装置３（１１３）から宅内情報管理装置ｎ（１１ｎ）までの各々と、から送信された機器情報を受信した場合、地域情報管理装置（１２１）は、受信された機器情報を地域情報管理装置（１２１）が備える記憶装置に蓄積する。
【００１３】
最後に、コンテンツ提供装置１（１３１）とコンテンツ提供装置２（１３２）とコンテンツ提供装置３（１３３）からコンテンツ提供装置ｎ（１３ｎ）までの各々とが、地域情報管理装置（１２１）が備える記憶装置に蓄積されている機器情報を利用して、コンテンツ視聴装置１（１４１）とコンテンツ視聴装置２（１４２）とコンテンツ視聴装置３（１４３）からコンテンツ視聴装置ｎ（１４ｎ）までの各々とに対するコンテンツを作成し、作成されたコンテンツをコンテンツ視聴装置１（１４１）とコンテンツ視聴装置２（１４２）とコンテンツ視聴装置３（１４３）からコンテンツ視聴装置ｎ（１４ｎ）までの各々とに提供する。
【００１４】
次に、特許文献１では、電力消費量を削減するために利用することができる節電アドバイスと、電力消費量の推移と、電力消費量の推移に基づいたコメントと、を提供する宅内情報管理システムに関する概要が開示されている。
【００１５】
宅内情報管理システムの一例を図２に示した。
図２によれば、宅内情報管理システムは、負荷装置１（２０１）と負荷装置２（２０２）と負荷装置３（２０３）から負荷装置ｎ（２０ｎ）までと、分電装置（２１１）と、宅内情報管理装置（２２１）と、コンテンツ視聴装置（２３１）と、を含んで構成され、負荷装置１（２０１）と分電装置（２１１）とが電力線を介して接続され、負荷装置２（２０２）と分電装置（２１１）とが電力線を介して接続され、負荷装置３（２０３）から負荷装置ｎ（２０ｎ）までの各々と分電装置（２１１）とが電力線を介して接続され、分電装置（２１１）と宅内情報管理装置（２２１）とが電気通信回線を介して接続され、宅内情報管理装置（２２１）とコンテンツ視聴装置（２３１）とが電気通信回線を介して接続されている。但し、ｎは正の整数とする。
【００１６】
はじめに、分電装置（２１１）は、負荷装置１（２０１）と負荷装置２（２０２）と負荷装置３（２０３）から負荷装置ｎ（２０ｎ）までとで消費される電力の総量である電力消費量を宅内情報管理装置（２２１）に対して送信する。但し、分電装置（２１１）と宅内情報管理装置（２２１）とが電力線を介して接続されている場合、宅内情報管理装置（２２１）で消費される電力も電力消費量に含まれ、分電装置（２１１）とコンテンツ視聴装置（２３１）とが、電力線を介して接続される場合、コンテンツ視聴装置（２３１）で消費される電力も電力消費量に含まれ、分電装置（２１１）自身で消費される電力も電力消費量に含まれるものとする。
【００１７】
次に、宅内情報管理装置（２２１）は、分電装置（２１１）から送信された電力消費量を受信した場合、受信した電力消費量を、宅内情報管理装置（２２１）が備える記憶装置に蓄積する。
【００１８】
最後に、宅内情報管理装置（２２１）は、コンテンツ視聴装置（２３１）に対して電力消費量を削減するために利用することができる節電アドバイスと、電力消費量の推移と、電力消費量の推移に基づいたコメントと、を含んだコンテンツを作成し、作成されたコンテンツをコンテンツ視聴装置（２３１）に対して提供する。ここで、電力消費量の推移に基づいたコメントは、例えば、現在の電力消費量と過去の電力消費量とを比較して、現在の電力消費量が過去の電力消費量よりも小さい場合、「電力消費量が削減されました。」という内容とし、現在の電力消費量が過去の電力消費量より大きい場合、「電力消費量を削減して下さい。」という内容とする。
【００１９】
次に、特許文献２では、負荷装置種別毎の節電アドバイスを提供する節電アドバイスシステムについての概要が開示されている。ここで、負荷装置種別とは、冷蔵庫、テレビ、等を意味する。
【００２０】
特許文献２では、自宅の負荷装置種別毎の電力消費量と他家の負荷装置種別毎の電力消費量の平均とを比較して、比較した結果に基づいて、予め用意された節電アドバイスから節電アドバイスを取得し、取得された節電アドバイスをサービス利用者に対して提供するシステムに関する提案がなされている。
【００２１】
次に、非特許文献２では、ブログの一例が開示されている。
非特許文献２では、ブログの利用者は、ブログに表示されているコメントを参照し、有効と思われるコメントがある場合、そのコメントの近くに備わる「いいね」ボタンを押下する。
また、コメントの近くには「いいね」ボタンが押下された回数が表示されるものとしている。
但し、「いいね」ボタンの押下は利用者の意思によるものであって、強要されるものではない。
【先行技術文献】
【特許文献】
【００２２】
【特許文献１】特開２０１０−１７６３７３号公報
【特許文献２】特開２０１０−２１８０７７号公報
【非特許文献】
【００２３】
【非特許文献１】“スマートハウス情報活用基盤に関する検討活動中間報告”、一般財団法人日本情報経済社会推進協会
【非特許文献２】“かんたんｆａｃｅｂｏｏｋ入門”，技術評論社、松本  剛
【発明の概要】
【発明が解決しようとする課題】
【００２４】
特許文献１では、サービス利用者に対して、サービス利用者が保有している宅内情報管理装置に蓄積されている電力消費量に基づいた節電アドバイスを提供し、サービス利用者が、提供された節電アドバイスを実施することによって、電力消費量を削減するシステムが提案されている。
【００２５】
特許文献２では、自宅の負荷装置種別毎の電力消費量と他家の負荷装置種別毎の電力消費量の平均とを比較し、比較した結果に基づいて、予め用意された節電アドバイスから節電アドバイスを取得し、取得された節電アドバイスをサービス利用者に提供するシステムが提案されている。
【００２６】
しかし、特許文献１と特許文献２とでは、サービス提供者もサービス利用者も、その節電アドバイスの有効性を評価する仕組みが提供されていない。
【００２７】
非特許文献２は、ブログに表示されている内容の有効性を評価する方法について提案されている。
しかし、この評価は、ブログに表示されているコメント毎の評価であって、ブログに表示されている全てのコメントと比較したコメントの有効性が示されていない。
【００２８】
例えば、ブログに表示されているコメントとしてコメントＡとコメントＢとコメントＣとがあり、コメントＡの近くに備わる「いいね」ボタンが３回押下され、コメントＢの近くに備わる「いいね」ボタンが５回押下され、コメントＣの近くに備わる「いいね」ボタンが４回押下された場合、コメントＡの近くに備わる「いいね」ボタンが押下された回数を表示する部分に３と表示され、コメントＢの近くに備わる「いいね」ボタンが押下された回数を表示する部分に５と表示され、コメントＣの近くに備わる「いいね」ボタンが押下された回数を表示する部分に４と表示されるが、コメントＡはコメントＢとコメントＣと比較してどの程度有効であるのかはわからない。
【００２９】
一方、コメントの近くに備わる「いいね」ボタンが押下された回数に基づいて、コメントＡは３番目に良い、コメントＢは１番目に良い、コメントＣは２番目に良いと表示されれば、コメントＡはコメントＢとコメントＣと比較してどの程度有効であるかがわかる。
【００３０】
また、この評価は、サービス利用者の感性に基づいたものであって、測定値に基づくものではないため、正確な評価とは言えない。
【００３１】
したがって、非特許文献２又は、特許文献１と特許文献２と非特許文献２との単なる組み合わせでは、節電アドバイスと節電アドバイス順位とをサービス利用者に対して提供することができない。
【課題を解決するための手段】
【００３２】
本発明は上述した課題を解決するためになされたもので、本発明の地域電力管理システムは、節電アドバイスと、節電アドバイス毎につけた順位である節電アドバイス順位と、を含んだコンテンツを利用者に視聴させるコンテンツ視聴装置を備えることを特徴とする。
また、本発明の地域電力管理システムは、上述の地域電力管理システムであって、節電アドバイスを提供した期間の宅内電力消費量の総量である地域電力消費量に基づいて、前記節電アドバイス毎につけた順位である節電アドバイス順位を更新するアドバイス順位更新装置を備えることを特徴とする。
【００３３】
また、本発明の地域電力管理システムは、上述のいずれかの地域電力管理システムであって、負荷装置種別毎に、節電アドバイスを提供した期間の宅内電力消費量の総量である地域電力消費量に基づいて、前記節電アドバイス毎につけた順位である節電アドバイス順位を更新するアドバイス順位更新装置を備えることを特徴とする。
【００３４】
また、本発明の地域電力管理システムは、上述のいずれかの地域電力管理システムであって、地域電力管理装置とコンテンツ提供装置とをさらに含んで構成され、前記地域電力管理装置と前記コンテンツ提供装置とは、前記宅内電力消費量が取得された時刻を宅内電力消費量取得時刻とし、前記宅内電力消費量取得時刻と前記宅内電力消費量とを関係付けて蓄積することが可能な宅内電力消費量記憶装置を共有し、前記コンテンツ提供装置は、前記節電アドバイスを提供した期間に含まれる前記宅内電力消費量取得時刻と関係付けて前記宅内電力消費量記憶装置に蓄積されている前記宅内電力消費量の総量を地域電力消費量とし、前記地域電力消費量を算出する地域電力消費量算出装置と、前記節電アドバイスと前記地域電力消費量と前記節電アドバイス順位とを関係付けて蓄積することが可能なアドバイス記憶装置と、前記節電アドバイスと前記地域電力消費量とを関係付けて前記アドバイス記憶装置に蓄積する地域電力消費量蓄積装置と、前記アドバイス記憶装置に蓄積されている前記地域電力消費量に基づいて、前記アドバイス記憶装置に蓄積されている前記節電アドバイス順位を更新する前記アドバイス順位更新装置と、を備えることを特徴とする。
【００３５】
また、本発明の地域電力管理システムは、上述のいずれかの地域電力管理システムであって、地域電力管理装置とコンテンツ提供装置とをさらに含んで構成され、前記地域電力管理装置と前記コンテンツ提供装置とは、前記宅内電力消費量が取得された時刻を宅内電力消費量取得時刻とし、前記宅内電力消費量取得時刻と前記宅内電力消費量とを関係付けて蓄積することが可能な宅内電力消費量記憶装置と、部分電力消費量取得時刻と部分電力消費量とを関係付けて記憶することが可能な部分電力消費量記憶装置と、を共有し、予め定められた期間に含まれる前記宅内電力消費量取得時刻と関係付けて前記宅内電力消費量記憶装置に蓄積されている前記宅内電力消費量の総量である前記部分電力消費量と、前記予め定められた期間に基づいた前記部分電力消費量取得時刻と、を算出する部分電力消費量算出装置を備え、前記コンテンツ提供装置は、前記節電アドバイスを提供した期間に含まれる前記部分電力消費量取得時刻と関係付けて前記部分電力消費量記憶装置に蓄積されている前記部分電力消費量の総量を地域電力消費量とし、前記地域電力消費量を算出する地域電力消費量算出装置と、前記節電アドバイスと前記地域電力消費量と前記節電アドバイス順位とを関係付けて蓄積することが可能なアドバイス記憶装置と、前記節電アドバイスと前記地域電力消費量とを関係付けて前記アドバイス記憶装置に蓄積する地域電力消費量蓄積装置と、前記アドバイス記憶装置に蓄積されている前記地域電力消費量に基づいて、前記アドバイス記憶装置に蓄積されている前記節電アドバイス順位を更新する前記アドバイス順位更新装置と、を備えることを特徴とする。
【００３６】
また、本発明の地域電力管理システムは、上述のいずれかの地域電力管理システムであって、地域電力管理装置とコンテンツ提供装置とをさらに含んで構成され、前記地域電力管理装置と前記コンテンツ提供装置とは、前記宅内電力消費量が取得された時刻を宅内電力消費量取得時刻とし、前記宅内電力消費量取得時刻と前記宅内電力消費量と前記負荷装置種別とを関係付けて蓄積することが可能な宅内電力消費量記憶装置を共有し、前記宅内電力消費量記憶装置に蓄積されている前記負荷装置種別と関係付けて、前記宅内電力消費量記憶装置に蓄積されている、前記宅内電力消費量取得時刻と前記宅内電力消費量とにおいて、前記コンテンツ提供装置は、前記節電アドバイスを提供した期間に含まれる前記宅内電力消費量取得時刻と関係付けて前記宅内電力消費量記憶装置に蓄積されている前記宅内電力消費量の総量を地域電力消費量とし、前記地域電力消費量を算出する地域電力消費量算出装置と、前記節電アドバイスと前記地域電力消費量と前記節電アドバイス順位とを関係付けて蓄積することが可能なアドバイス記憶装置と、前記節電アドバイスと前記地域電力消費量とを関係付けて前記アドバイス記憶装置に蓄積する地域電力消費量蓄積装置と、前記アドバイス記憶装置に蓄積されている前記地域電力消費量に基づいて、前記アドバイス記憶装置に蓄積されている前記節電アドバイス順位を更新する前記アドバイス順位更新装置と、を備えることを特徴とする。
【００３７】
また、本発明の地域電力管理システムは、上述のいずれかの地域電力管理システムであって、地域電力管理装置とコンテンツ提供装置とをさらに含んで構成され、前記地域電力管理装置と前記コンテンツ提供装置とは、前記宅内電力消費量が取得された時刻を宅内電力消費量取得時刻とし、前記宅内電力消費量取得時刻と前記宅内電力消費量と前記負荷装置種別とを関係付けて蓄積することが可能な宅内電力消費量記憶装置と、部分電力消費量取得時刻と部分電力消費量と前記負荷装置種別とを関係付けて記憶することが可能な部分電力消費量記憶装置と、を共有し、前記宅内電力消費量記憶装置に蓄積されている前記負荷装置種別と関係付けて、前記宅内電力消費量記憶装置に蓄積されている、前記宅内電力消費量取得時刻と前記宅内電力消費量とにおいて、前記地域電力管理装置は、予め定められた期間に含まれる前記宅内電力消費量取得時刻と関係付けて前記宅内電力消費量記憶装置に蓄積されている前記宅内電力消費量の総量である前記部分電力消費量と、前記予め定められた期間に基づいた前記部分電力消費量取得時刻と、を算出する部分電力消費量算出装置を備え、前記コンテンツ提供装置は、前記節電アドバイスを提供した期間に含まれる前記部分電力消費量取得時刻と関係付けて前記部分電力消費量記憶装置に蓄積されている前記部分電力消費量の総量を地域電力消費量とし、前記地域電力消費量を算出する地域電力消費量算出装置と、前記節電アドバイスと前記地域電力消費量と前記節電アドバイス順位とを関係付けて蓄積することが可能なアドバイス記憶装置と、前記節電アドバイスと前記地域電力消費量とを関係付けて前記アドバイス記憶装置に蓄積する地域電力消費量蓄積装置と、前記アドバイス記憶装置に蓄積されている前記地域電力消費量に基づいて、前記アドバイス記憶装置に蓄積されている前記節電アドバイス順位を更新する前記アドバイス順位更新装置と、を備えることを特徴とする。
【００３８】
また、本発明の地域電力管理システムは、上述のいずれかの地域電力管理システムであって、一つの負荷装置又は複数の負荷装置又は分電装置と、宅内電力管理装置とをさらに含んで構成され、前記負荷装置及び前記分電装置は、予め定められた周期で、前記宅内電力消費量取得時刻と前記宅内電力消費量とを取得する宅内電力消費量取得装置と、前記宅内電力消費量取得時刻と前記宅内電力消費量とを前記宅内電力管理装置に対して送信する送信装置と、を備え、前記宅内電力管理装置は、前記宅内電力消費量取得時刻と前記宅内電力消費量とを関係付けて蓄積することが可能な宅内電力消費量記憶装置と、前記宅内電力消費量取得時刻と前記宅内電力消費量とを受信する受信装置と、前記宅内電力消費量取得時刻と前記宅内電力消費量とを前記宅内電力消費量記憶装置に蓄積する宅内電力消費量蓄積装置と、予め定められた周期で、前記宅内電力消費量記憶装置に蓄積されている前記宅内電力消費量取得時刻と前記宅内電力消費量とを取得する宅内電力消費量取得装置と、前記宅内電力消費量取得時刻と前記宅内電力消費量とを前記地域電力管理装置に対して送信する送信装置と、を備え、前記地域電力管理装置は、前記宅内電力消費量取得時刻と前記宅内電力消費量とを受信する受信装置と、前記宅内電力消費量取得時刻と前記宅内電力消費量とを関係付けて前記宅内電力消費量記憶装置に蓄積する宅内電力消費量蓄積装置と、を備えることを特徴とする。
【００３９】
また、本発明の地域電力管理システムは、上述のいずれかの地域電力管理システムであって、一つの負荷装置又は複数の負荷装置と、分電装置と、のいずれか又は両方と、宅内電力管理装置とをさらに含んで構成され、前記負荷装置及び前記分電装置は、予め定められた周期で、前記宅内電力消費量取得時刻と前記宅内電力消費量とを取得する宅内電力消費量取得装置と、前記宅内電力消費量取得時刻と前記宅内電力消費量と前記負荷装置種別とを前記宅内電力管理装置に対して送信する送信装置と、を備え、前記宅内電力管理装置は、前記宅内電力消費量取得時刻と前記宅内電力消費量と前記負荷装置種別とを関係付けて蓄積することが可能な宅内電力消費量記憶装置と、前記宅内電力消費量取得時刻と前記宅内電力消費量と前記負荷装置種別とを受信する受信装置と、前記宅内電力消費量取得時刻と前記宅内電力消費量と前記負荷装置種別とを前記宅内電力消費量記憶装置に蓄積する宅内電力消費量蓄積装置と、予め定められた周期で、前記宅内電力消費量記憶装置に蓄積されている前記宅内電力消費量取得時刻と前記宅内電力消費量と前記負荷装置種別とを取得する宅内電力消費量取得装置と、前記宅内電力消費量取得時刻と前記宅内電力消費量と前記負荷装置種別とを前記地域電力管理装置に対して送信する送信装置と、を備え、前記地域電力管理装置は、前記宅内電力消費量取得時刻と前記宅内電力消費量と前記負荷装置種別とを関係付けて蓄積することが可能な宅内電力消費量記憶装置と、前記宅内電力消費量取得時刻と前記宅内電力消費量と前記負荷装置種別とを受信する受信装置と、前記宅内電力消費量取得時刻と前記宅内電力消費量と前記負荷装置種別とを前記宅内電力消費量記憶装置に蓄積する宅内電力消費量蓄積装置と、を備えることを特徴とする。
【００４０】
また、本発明の地域電力管理システムは、上述のいずれかの地域電力管理システムであって、コンテンツ受信装置をさらに含んで構成され、前記コンテンツ受信装置は、前記コンテンツ提供装置にコンテンツ要求信号を送信する送信装置を備え、前記コンテンツ提供装置は、前記コンテンツ要求信号を受信する受信装置と、予め定められた周期で、前記アドバイス記憶装置に蓄積されている、いずれか一つ又は複数の前記節電アドバイスと前記節電アドバイス順位と、を取得するアドバイス取得装置と、前記節電アドバイスと前記節電アドバイス順位とを含んだコンテンツを作成するコンテンツ作成装置と、前記コンテンツを前記コンテンツ受信装置に対して送信する送信装置と、を備え、前記コンテンツ受信装置は、前記コンテンツを受信する受信装置と、前記コンテンツを利用者に視聴させる前記コンテンツ視聴装置と、を備えることを特徴とする。
【００４１】
また、本発明の地域電力管理システムは、上述のいずれかの地域電力管理システムであって、コンテンツ受信装置をさらに含んで構成され、前記コンテンツ受信装置は、前記コンテンツ提供装置にコンテンツ要求信号を送信する送信装置を備え、前記コンテンツ提供装置は、前記コンテンツ要求信号を受信する受信装置と、予め定められた周期で、前記負荷装置種別毎に、前記アドバイス記憶装置に蓄積されている、いずれか一つ又は複数の前記節電アドバイスと前記節電アドバイス順位と、を取得するアドバイス取得装置と、前記節電アドバイスと前記節電アドバイス順位とを含んだコンテンツを作成するコンテンツ作成装置と、を備え、前記コンテンツ受信装置は、前記コンテンツを受信する受信装置と、前記コンテンツを利用者に視聴させる前記コンテンツ視聴装置と、を備えることを特徴とする。
【００４２】
また、本発明の地域電力管理システムは、上述のいずれかの地域電力管理システムであって、コンテンツ受信装置をさらに含んで構成され、前記地域電力管理装置と前記コンテンツ提供装置とは、前記宅内電力消費量が取得された時刻を宅内電力消費量取得時刻とし、宅内電力管理装置毎に異なる識別子と前記宅内電力消費量取得時刻と前記宅内電力消費量とを関係付けて蓄積することが可能な宅内電力消費量記憶装置を共有し、前記宅内電力管理装置は、前記宅内電力管理装置毎に異なる識別子と前記宅内電力消費量取得時刻と前記宅内電力消費量とを前記地域電力管理装置に対して送信する送信装置を備え、前記地域電力管理装置は、前記宅内電力管理装置毎に異なる識別子と前記宅内電力消費量取得時刻と前記宅内電力消費量とを受信する受信装置と、前記宅内電力管理装置毎に異なる識別子と前記宅内電力消費量取得時刻と前記宅内電力消費量とを関係付けて前記宅内電力消費量記憶装置に蓄積する宅内電力消費量蓄積装置と、を備え、前記コンテンツ受信装置は、前記コンテンツ提供装置に前記宅内電力管理装置毎に異なる識別子とコンテンツ要求信号とを送信する送信装置を備え、前記コンテンツ提供装置は、前記宅内電力管理装置毎に異なる識別子と前記コンテンツ要求信号とを受信する受信装置と、予め定められた周期で、前記アドバイス記憶装置に蓄積されている、いずれか一つ又は複数の前記節電アドバイスと前記節電アドバイス順位とを取得するアドバイス取得装置と、予め定められた周期で、前記宅内電力管理装置毎に異なる識別子と関係付けて前記宅内電力消費量記憶装置に蓄積されている前記宅内電力消費量の内、前記節電アドバイスが提供されている期間に含まれる前記宅内電力消費量取得時刻と関係付けて前記宅内電力消費量記憶装置に蓄積されている前記宅内電力消費量の総量をアドバイス電力消費量とし、前記節電アドバイスと前記節電アドバイス順位と前記アドバイス電力消費量とを含んだコンテンツを作成するコンテンツ作成装置と、前記コンテンツを前記サービス受信装置に対して送信する送信装置と、を備え、前記コンテンツ受信装置は、前記コンテンツを受信する受信装置と、前記コンテンツを利用者に視聴させる前記コンテンツ視聴装置と、を備えることを特徴とする。
【００４３】
また、本発明の地域電力管理システムは、上述のいずれかの地域電力管理システムであって、コンテンツ受信装置をさらに含んで構成され、前記地域電力管理装置と前記コンテンツ提供装置とは、前記宅内電力消費量が取得された時刻を宅内電力消費量取得時刻とし、宅内電力管理装置毎に異なる識別子と前記宅内電力消費量取得時刻と前記宅内電力消費量とを関係付けて蓄積することが可能な宅内電力消費量記憶装置を共有し、前記宅内電力管理装置は、前記宅内電力管理装置毎に異なる識別子と前記宅内電力消費量取得時刻と前記宅内電力消費量とを前記地域電力管理装置に対して送信する送信装置を備え、前記地域電力管理装置は、前記宅内電力管理装置毎に異なる識別子と前記宅内電力消費量取得時刻と前記宅内電力消費量とを受信する受信装置と、前記宅内電力管理装置毎に異なる識別子と前記宅内電力消費量取得時刻と前記宅内電力消費量とを関係付けて前記宅内電力消費量記憶装置に蓄積する宅内電力消費量蓄積装置と、を備え、前記コンテンツ受信装置は、前記コンテンツ提供装置に前記宅内電力管理装置毎に異なる識別子とコンテンツ要求信号とを送信する送信装置を備え、前記コンテンツ提供装置は、前記宅内電力管理装置毎に異なる識別子と前記コンテンツ要求信号とを受信する受信装置と、予め定められた周期で、前記負荷装置種別毎に、前記アドバイス記憶装置に蓄積されている、いずれか一つ又は複数の前記節電アドバイスと前記節電アドバイス順位と、を取得するアドバイス取得装置と、予め定められた周期で、前記宅内電力管理装置毎に異なる識別子と関係付けて前記宅内電力消費量記憶装置に蓄積されている前記宅内電力消費量の内、前記節電アドバイスが提供されている期間に含まれる前記宅内電力消費量取得時刻と関係付けて前記宅内電力消費量記憶装置に蓄積されている前記宅内電力消費量の総量をアドバイス電力消費量とし、前記節電アドバイスと前記節電アドバイス順位と前記アドバイス電力消費量とを含んだコンテンツを作成するコンテンツ作成装置と、を備え、前記コンテンツ受信装置は、前記コンテンツを受信する受信装置と、前記コンテンツを利用者に視聴させる前記コンテンツ視聴装置と、を備えることを特徴とする。
【００４４】
また、本発明の地域電力管理方法は、前記節電アドバイスを提供した期間の宅内電力消費量の総量である地域電力消費量に基づいて、前記節電アドバイス毎につけた順位である節電アドバイス順位を更新する節電アドバイス順位更新ステップを有することを特徴とする。
【００４５】
尚、上記各構成要件は、技術的に可能な限り、任意に取捨選択できるものとする。また、節電アドバイスシステムに含まれるコンテンツ視聴装置、コンテンツ作成装置、宅内電力消費量蓄積装置等のそれぞれの構成により特定される発明も含まれる。
【発明の効果】
【００４６】
本発明を用いることによって以下の効果を得ることが可能である。
本発明では、非特許文献１に示す環境において、サービス提供者からサービス利用者に対して節電アドバイスと節電アドバイス順位とを含むコンテンツが提供される。
また、節電アドバイス順位は節電アドバイスが提供されている期間における宅内電力消費量の総量である地域電力消費量に基づいて算出される。
【００４７】
したがって、サービス利用者は節電アドバイスの順位に基づいて提供された節電アドバイスの有効性を知ることができるため、効率的な節電が可能となる。
【００４８】
また、サービス提供者は、節電アドバイス順位の低い節電アドバイスを更新することによって、サービスの質を向上させることが可能となる。
【００４９】
また、サービス提供者は宅内電力消費量を知る必要はなく、地域電力消費量のみわかれば良いため、地域情報管理装置が、地域電力消費量を算出し、地域電力消費量をサービス提供者に送信することによって、地域電力管理装置とサービス提供者との間は、秘匿性の高い通信をおこなうことができる。
【００５０】
また、サービス提供者が予め用意した節電アドバイスのみでなく、例えばサービス利用者からの投稿による節電アドバイスについても同様の手法によって実測値に基づいた評価ができるため、サービス提供者は、サービス利用者の投稿による節電アドバイスについても、節電アドバイスの有効性を評価することができる。
【図面の簡単な説明】
【００５１】
【図１】非特許文献１において開示されている、地域情報管理システムの一例を示す図である。
【図２】特許文献１において開示されている、宅内情報管理システムの一例を示す図である。
【図３】第１の実施形態における節電アドバイスシステムの一構成例を示す図である。
【図４Ａ】第１の実施形態における拠点の一構成例を示す図である。
【図４Ｂ】第３の実施形態における拠点の一構成例を示す図である。
【図５Ａ】第１の実施形態における分電装置の一構成例を示す図である。
【図５Ｂ】第３の実施形態における分電装置の一構成例を示す図である。
【図６】第１の実施形態における宅内電力管理装置の一構成例を示す図である。
【図７Ａ】第１の実施形態における地域電力管理装置の一構成例を示す図である。
【図７Ｂ】第２の実施形態における地域電力管理装置の一構成例を示す図である。
【図８Ａ】第１の実施形態におけるコンテンツ提供装置の一構成例を示す図である。
【図８Ｂ】第２の実施形態におけるコンテンツ提供装置の一構成例を示す図である。
【図８Ｃ】第３の実施形態におけるコンテンツ提供装置の一構成例を示す図である。
【図８Ｄ】第４の実施形態におけるコンテンツ提供装置の一構成例を示す図である。
【図９】第１の実施形態におけるコンテンツ受信装置の一構成例を示す図である。
【図１０Ａ】第１の実施形態における分電装置と宅内電力管理装置とに関する処理の流れを示すフローチャート図の一例を示す図である。
【図１０Ｂ】第３の実施形態における負荷装置と宅内電力管理装置とに関する処理の流れを示すフローチャート図の一例を示す図である。
【図１１Ａ】第１の実施形態における地域電力管理装置とコンテンツ提供装置とコンテンツ受信装置とに関する処理の流れを示すフローチャート図の一例を示す図である。
【図１１Ｂ】第２の実施形態における地域電力管理装置とコンテンツ提供装置とコンテンツ受信装置とに関する処理の流れを示すフローチャート図の一例を示す図である。
【図１１Ｃ】第３の実施形態における地域電力管理装置とコンテンツ提供装置とコンテンツ受信装置とに関する処理の流れを示すフローチャート図の一例を示す図である。
【図１１Ｄ】第４の実施形態における地域電力管理装置とコンテンツ提供装置とコンテンツ受信装置とに関する処理の流れを示すフローチャート図の一例を示す図である。
【発明を実施するための形態】
【００５２】
以下、図面を参照しながら本発明の各実施形態について説明する。
【００５３】
（第１の実施形態）
本発明における電力消費量を削減するための節電に利用することができる節電アドバイスを提供する節電アドバイスシステムの一構成例について図３に示した。
図３によれば、節電アドバイスシステムは、拠点１（４０１）と拠点２（４０２）と拠点３（４０３）から拠点ｎ（４０ｎ）までと地域電力管理装置（３５１）とコンテンツ提供装置１（４１１）とコンテンツ提供装置２（４１２）とコンテンツ提供装置３（４１３）からコンテンツ提供装置ｎ（４１ｎ）までとを含んで構成されている。
【００５４】
また、拠点１（４０１）と地域電力管理装置（３５１）とは電気通信回線を介して接続され、拠点２（４０２）と地域電力管理装置（３５１）とは電気通信回線を介して接続され、拠点３（４０３）から拠点ｎ（４０ｎ）までの各々と地域電力管理装置（３５１）とは電気通信回線を介して接続され、地域電力管理装置（３５１）とコンテンツ提供装置１（４１１）とは電気通信回線を介して接続され、地域電力管理装置（３５１）とコンテンツ提供装置２（４１２）とは電気通信回線を介して接続され、地域電力管理装置（３５１）とコンテンツ提供装置３（４１３）からコンテンツ提供装置ｎ（４１ｎ）までの各々とは電気通信回線を介して接続されているものとする。
【００５５】
ここで、拠点１（４０１）と地域電力管理装置（３５１）との接続に関する説明は、拠点２（４０２）と地域電力管理装置（３５１）との接続に関する説明と、拠点３（４０３）から拠点ｎ（４０ｎ）までの各々と地域電力管理装置（３５１）との接続に関する説明と、同一であるため、以下においては、拠点２（４０２）と地域電力管理装置（３５１）との接続に関する説明と、拠点３（４０３）から拠点ｎ（４０ｎ）までの各々と地域電力管理装置（３５１）との接続に関する説明はおこなわないものとする。
【００５６】
また、地域電力管理装置（３５１）とコンテンツ提供装置１（４１１）との接続に関する説明は、地域電力管理装置（３５１）とコンテンツ提供装置２（４１２）との接続に関する説明と、地域電力管理装置（３５１）とコンテンツ提供装置３（４１３）からサービス提供装置ｎ（４１ｎ）までの各々との接続に関する説明と、同一であるため、以下においては、地域電力管理装置（３５１）とコンテンツ提供装置２（４１２）との接続に関する説明と、地域電力管理装置（３５１）とコンテンツ提供装置３（４１３）からコンテンツ提供装置ｎ（４１ｎ）までの各々との接続に関する説明はおこなわないものとする。
【００５７】
図４Ａは、拠点１（４０１）の一構成例を示す図である。
図４Ａによれば、拠点１（４０１）は、電力源（３０１）と分電装置（３１１）と宅内電力管理装置（３２１）と負荷装置１（３３１）と負荷装置２（３３２）と負荷装置３（３３３）から負荷装置ｎ（３３ｎ）までとコンテンツ受信装置（３４１）とを含んで構成される。
【００５８】
また、電力源（３０１）と分電装置（３１１）とは電力線を介して接続され、分電装置（３１１）と負荷装置１（３３１）とは電力線を介して接続され、分電装置（３１１）と負荷装置２（３３２）とは電力線を介して接続され、分電装置（３１１）と負荷装置３（３３３）から負荷装置ｎ（３３ｎ）までの各々とは電力線を介して接続されているものとする。
【００５９】
また、分電装置（３１１）と宅内電力管理装置（３２１）とが電力線を介して接続される場合と、分電装置（３１１）とコンテンツ受信装置（３４１）とが電力線を介して接続される場合と、が考えられるが、本発明とはあまり関係がないため、説明はおこなわないものとする。
【００６０】
また、分電装置（３１１）と宅内電力管理装置（３２１）とは電気通信回線を介して接続され、宅内電力管理装置（３２１）と地域電力管理装置（３５１）とは電気通信回線を介して接続され、コンテンツ提供装置（４１１）とコンテンツ受信装置（３４１）とは電気通信回線を介して接続されているものとする。
【００６１】
図５Ａは、分電装置（３１１）の一構成例を示す図である。図５Ａによれば、分電装置（３１１）は、宅内電力消費量取得装置（３１１−１）と送信装置（３１１−２）とを備えている。
【００６２】
図６は、宅内電力管理装置（３２１）の一構成例を示す図である。
図６によれば、宅内電力管理装置（３２１）は、宅内電力消費量記憶装置（３２１−１）と受信装置（３２１−２）と宅内電力消費量蓄積装置（３２１−３）と宅内電力消費量取得装置（３２１−４）と送信装置（３２１−５）とを備えている。
【００６３】
図７Ａは、地域電力管理装置（３５１）の一構成例を示す図である。
図７Ａによれば、地域電力管理装置（３５１）は、宅内電力消費量記憶装置（３５１−１）と受信装置（３５１−２）と宅内電力消費量蓄積装置（３５１−３）とを備えている。
【００６４】
図８Ａは、コンテンツ提供装置（４１１）の一構成例を示す図である。
図８Ａによれば、コンテンツ提供装置（４１１）は、アドバイス記憶装置（４１１−１）とアドバイス取得装置（４１１−２）と宅内電力消費量取得装置（４１１−３）と地域電力消費量算出装置（４１１−４）と地域電力消費量蓄積装置（４１１−５）とアドバイス順位更新装置（４１１−６）と受信装置（４１１−７）とコンテンツ作成装置（４１１−８）と送信装置（４１１−９）とを備えている。
【００６５】
図９は、コンテンツ受信装置（３４１）の一構成例を示す図である。
図９によれば、コンテンツ受信装置（３４１）は、送信装置（３４１−１）と受信装置（３４１−２）とコンテンツ視聴装置（３４１−３）とを備えている。
【００６６】
図１０Ａは、第１の実施形態における分電装置（３１１）と宅内電力管理装置（３２１）とに関する処理の流れを示すフローチャート図である。
図１０Ａによれば、Ｓｔａｒｔ後、図１０Ａに示すように、分電装置（３１１）では、以下が実行される。
【００６７】
（ステップＳ１１）
宅内電力消費量取得装置（３１１−１）で宅内電力消費量と、宅内電力消費量を取得した時刻である宅内電力消費量取得時刻と、が取得された後、予め定められた周期で、宅内電力消費量取得装置（３１１−１）で再び宅内電力消費量と宅内電力消費量取得時刻とが取得されるまでの期間を、宅内電力消費量の積算期間とする。
宅内電力消費量は、宅内電力消費量の積算期間内に、電力源（３０１）から分電装置（３１１）に対して供給された電力量の積算値とする。
【００６８】
宅内電力消費量取得装置（３１１−１）は、宅内電力消費量と宅内電力消費量取得時刻とを取得する。
【００６９】
（ステップＳ１２）
送信装置（３１１−２）は、宅内電力消費量取得装置（３１１−１）で取得された宅内電力消費量と宅内電力消費量取得時刻とを宅内電力管理装置（３２１）に対して送信する。
以上が、分電装置（３１１）で実行される。
【００７０】
（ステップＳ１３）
宅内電力管理装置（３２１）が備える宅内電力消費量記憶装置（３２１−１）は宅内電力消費量と宅内電力消費量取得時刻とを関係付けて蓄積することができる。
【００７１】
宅内電力管理装置（３２１）が備える受信装置（３２１−２）は、分電装置（３１１）から送信された宅内電力消費量と宅内電力消費量取得時刻とを受信可能で、宅内電力管理装置（３２１）が備える受信装置（３２１−２）が、分電装置（３１１）から送信された宅内電力消費量と宅内電力消費量取得時刻とを受信した場合、宅内電力管理装置（３２１）では以下が実行され、宅内電力管理装置（３２１）が備える受信装置（３２１−２）が、宅内電力消費量と宅内電力消費量取得時刻とを受信しない場合、待機する。
【００７２】
（ステップＳ１４）
宅内電力消費量蓄積装置（３２１−３）は、受信装置（３２１−２）で受信された宅内電力消費量と宅内電力消費量取得時刻とを関係付けて宅内電力消費量記憶装置（３２１−１）に蓄積する。
【００７３】
（ステップＳ１５）
宅内電力消費量取得装置（３２１−４）は、予め定められた周期で、宅内電力消費量記憶装置（３２１−１）に蓄積されている宅内電力消費量と宅内電力消費量取得時刻との内、地域情報管理装置（３５１）に対して送信されていない宅内電力消費量と宅内電力消費量取得時刻とを取得する。
【００７４】
（ステップＳ１６）
送信装置（３２１−５）は、宅内電力管理装置毎に異なる識別子と、宅内電力消費量取得装置（３２１−４）で取得された宅内電力消費量と宅内電力消費量取得時刻と、を地域電力管理装置（３５１）に対して送信する。
以上が、宅内電力管理装置（３２１）で実行される。
【００７５】
また、宅内電力管理装置（３２１）では以下が実行されても良い。
宅内電力管理装置（３２１）が備える受信装置（３２１−２）は、分電装置（３１１）から送信された宅内電力消費量と宅内電力消費量取得時刻とを受信可能で、宅内電力管理装置（３２１）が備える受信装置（３２１−２）が、分電装置（３１１）から送信された宅内電力消費量と宅内電力消費量取得時刻とを受信した場合、宅内電力管理装置（３２１）では以下が実行され、宅内電力管理装置（３２１）が備える受信装置（３２１−２）が、宅内電力消費量と宅内電力消費量取得時刻とを受信しない場合、待機する。
【００７６】
送信装置（３２１−５）は、宅内電力管理装置毎に異なる識別子と、受信装置（３２１−２）で取得された宅内電力消費量と宅内電力消費量取得時刻と、を地域電力管理装置（３５１）に対して送信する。
以上が、宅内電力管理装置（３２１）で実行される。
【００７７】
図１１Ａは、第１の実施形態における地域電力管理装置（３５１）とコンテンツ提供装置（４１１）とコンテンツ受信装置（３４１）とに関する処理の流れを示すフローチャート図である。
【００７８】
（ステップＳ２１）
地域電力管理装置（３５１）が備える受信装置（３５１−２）は、宅内電力管理装置（３２１）から送信された宅内電力管理装置毎に異なる識別子と宅内電力消費量と宅内電力消費量取得時刻とを受信可能で、地域電力管理装置（３５１）が備える受信装置（３５１−２）が、宅内電力管理装置（３２１）から送信された宅内電力管理装置毎に異なる識別子と宅内電力消費量と宅内電力消費量取得時刻とを受信した場合、地域電力管理装置（３５１）では以下が実行され、地域電力管理装置（３５１）が備える受信装置（３５１−２）が、宅内電力管理装置毎に異なる識別子と宅内電力消費量と宅内電力消費量取得時刻とを受信しない場合、待機する。
【００７９】
（ステップＳ２２）
地域電力管理装置（３５１）が備える宅内電力消費量記憶装置（３５１−１）は、宅内電力管理装置毎に異なる識別子と宅内電力消費量と宅内電力消費量取得時刻とを関係付けて蓄積することができる。
宅内電力消費量蓄積装置（３５１−３）は、受信装置（３５１−２）で受信された宅内電力管理装置毎に異なる識別子と宅内電力消費量と宅内電力消費量取得時刻とを関係付けて宅内電力消費量記憶装置（３５１−１）に蓄積する。
以上が、地域電力管理装置（３５１）で実行される。
【００８０】
コンテンツ提供装置（４１１）が備えるアドバイス記憶装置（４１１−１）は、節電アドバイスと地域電力消費量と節電アドバイス順位とを関係付けて蓄積することが可能である。
コンテンツ提供装置（４１１）では以下が実行される。
【００８１】
（ステップＳ２３）
アドバイス取得装置（４１１−２）は、予め定められた周期でアドバイス記憶装置（４１１−１）に蓄積されている節電アドバイスの内のいずれか一つの節電アドバイスを取得する。
【００８２】
（ステップＳ２４）
アドバイス取得装置（４１１−２）で節電アドバイスが取得された後、予め定められた周期で、アドバイス取得装置（４１１−２）で再び節電アドバイスが取得されるまでの期間を、節電アドバイスの存続期間とする。
【００８３】
宅内電力消費量取得装置（４１１−３）は、宅内電力消費量記憶装置（３５１−１）に蓄積されている宅内電力消費量取得時刻の内、節電アドバイスの存続期間に含まれる宅内電力消費量取得時刻を選択し、選択された宅内電力消費量取得時刻と関係付けて宅内電力消費量記憶装置（３５１−１）に蓄積されている宅内電力消費量を取得する。
【００８４】
（ステップＳ２５）
地域電力消費量算出装置（４１１−４）は、宅内電力消費量取得装置（４１１−３）で取得された宅内電力消費量の総量である地域電力消費量を算出する。
【００８５】
（ステップＳ２６）
地域電力消費量蓄積装置（４１１−５）は、地域電力消費量算出装置（４１１−４）で算出された地域電力消費量を、アドバイス取得装置（４１１−２）で取得された節電アドバイスと関係付けてアドバイス記憶装置（４１１−１）に蓄積する。
【００８６】
（ステップＳ２７）
アドバイス順位更新装置（４１１−６）は、アドバイス記憶装置（４１１−１）に蓄積されている地域電力消費量に基づいて、アドバイス記憶装置（４１１−１）に蓄積されている節電アドバイス順位を更新する。
【００８７】
例えば、アドバイス記憶装置（４１１−１）に節電アドバイス１と節電アドバイス２と節電アドバイス３とが蓄積されていて、節電アドバイス１と関係付けてアドバイス記憶装置（４１１−１）に蓄積されている地域電力消費量が１００で、節電アドバイス２と関係付けてアドバイス記憶装置（４１１−１）に蓄積されている地域電力消費量が３００で、節電アドバイス３と関係付けてアドバイス記憶装置（４１１−１）に蓄積されている地域電力消費量が２００である場合、節電アドバイス１と関係付けてアドバイス記憶装置（４１１−１）に蓄積されている節電アドバイス順位は１とし、節電アドバイス２と関係付けてアドバイス記憶装置（４１１−１）に蓄積されている節電アドバイス順位は３とし、節電アドバイス３と関係付けてアドバイス記憶装置（４１１−１）に蓄積されている節電アドバイス順位は２とする。
以上が、コンテンツ提供装置（４１１）で実行される。
【００８８】
コンテンツ受信装置（３４１）では以下が実行される。
送信装置（３４１−１）は、コンテンツ提供装置（４１１）に対して、コンテンツ要求信号を送信する。
以上が、コンテンツ受信装置（３４１）で実行される。
【００８９】
コンテンツ提供装置（４１１）が備える受信装置（４１１−７）は、コンテンツ受信装置（３４１）から送信されたコンテンツ要求信号を受信可能で、コンテンツ提供装置（４１１）が備える受信装置（４１１−７）が、コンテンツ受信装置（３４１）から送信されたコンテンツ要求信号を受信した場合、コンテンツ提供装置（４１１）では以下が実行され、コンテンツ提供装置（４１１）が備える受信装置（４１１−７）が、コンテンツ要求信号を受信しない場合、待機する。
【００９０】
（ステップＳ２８）
コンテンツ作成装置（４１１−８）は、アドバイス記憶装置（４１１−１）に蓄積されている節電アドバイスと節電アドバイス順位との内の一部又は全てを取得し、取得された節電アドバイスと節電アドバイス順位とを含むコンテンツを作成する。
【００９１】
（ステップＳ２９）
送信装置（４１１−９）は、コンテンツ作成装置（４１１−８）で作成されたコンテンツをコンテンツ受信装置（３４１）に対して送信する。
以上が、コンテンツ提供装置（４１１）で実行される。
【００９２】
（ステップＳ３０）
コンテンツ受信装置（３４１）の受信装置（３４１−２）は、コンテンツ提供装置（４１１）から送信されたコンテンツを受信可能で、コンテンツ受信装置（３４１）の受信装置（３４１−２）が、コンテンツ提供装置（４１１）から送信されたコンテンツを受信した場合、コンテンツ受信装置（３４１）では以下が実行され、コンテンツ受信装置（３４１）の受信装置（３４１−２）が、コンテンツを受信しない場合、待機する。
【００９３】
（ステップＳ３１）
コンテンツ視聴装置（３４１−３）は、受信装置（３４１−２）で受信されたコンテンツを視聴者に視聴させる。
以上が、コンテンツ受信装置（３４１）で実行される。
【００９４】
第１の実施形態を用いることによって、以下の効果を得ることが可能となる。
第１の実施形態では、コンテンツ提供装置は、節電アドバイスを含むコンテンツを送信し、節電アドバイスの存続期間中の宅内電力消費量の総量である地域電力消費量を取得し、節電アドバイスと関係付けて記憶する。
【００９５】
また、コンテンツ提供装置は、地域電力消費量に基づいて節電アドバイス順位を算出し、コンテンツに含まれる節電アドバイスの節電アドバイス順位をさらにコンテンツに含めてコンテンツ受信装置に対して送信する。
【００９６】
したがって、コンテンツ受信装置の利用者に対して、節電アドバイスと実測値に基づいた節電アドバイスの有効性とを示すことが可能となるため、利用者は、効率的な節電をおこなうことができる。
【００９７】
また、コンテンツ提供装置の管理者は、節電アドバイス順位の低い節電アドバイスを更新することによって、節電アドバイスの質を改善し、サービスの質を向上させることが可能となる。
【００９８】
また、近年のネットワークサービスの一つである掲示板を節電アドバイスの提供の場として考えた場合でも、掲示板の利用者が「いいね」ボタンを押下した回数によって節電アドバイスの有効性を判断するよりも、実測値に基づいて節電アドバイスの有効性を判断した方が正確といえる。
【００９９】
また、節電アドバイスを良いと感じている利用者であっても「いいね」ボタンを押下しない場合があるため、節電アドバイスの有効性の判断に偏りが生じると考えられる。一方、第１の実施形態では、実測値に基づいて自動的に節電アドバイスの有効性が判断されるため、この偏りがない。
【０１００】
（第２の実施形態）
第２の実施形態では、図５Ａと図６と図７Ｂと図８Ｂと図９とを参照しながら説明する。
【０１０１】
図５Ａと図６と図９とについては第１の実施形態で説明をおこなった。
【０１０２】
図７Ｂは、地域電力管理装置（３５１）の一構成例を示す図である。
図７Ｂによれば、地域電力管理装置（３５１）は、宅内電力消費量記憶装置（３５１−１）と受信装置（３５１−２）と宅内電力消費量蓄積装置（３５１−３）と部分電力消費量記憶装置（３５１−４）と部分電力消費量取得装置（３５１−５）と部分電力消費量算出装置（３５１−６）と部分電力量蓄積装置（３５１−７）とを備えている。
【０１０３】
図８Ｂは、コンテンツ提供装置（４１１）の一構成例を示す図である。
図８Ｂによれば、コンテンツ提供装置（４１１）は、アドバイス記憶装置（４１１−１）とアドバイス取得装置（４１１−２）と部分電力消費量取得装置（４１１−１１）と地域電力消費量算出装置（４１１−４）と地域電力消費量蓄積装置（４１１−５）とアドバイス順位更新装置（４１１−６）と受信装置（４１１−７）とコンテンツ作成装置（４１１−８）と送信装置（４１１−９）と宅内電力消費量取得装置（４１１−３）とを備えている。
【０１０４】
第２の実施形態では、第１の実施形態における、宅内電力管理装置毎に異なる識別子と宅内電力消費量と宅内電力消費量取得時刻とが、地域電力管理装置（３５１）に対して送信されるまでは、同一であるため、説明は行わないものとする。
【０１０５】
図１１Ｂは、第２の実施形態における地域電力管理装置（３５１）とコンテンツ提供装置（４１１）とコンテンツ受信装置（３４１）とに関する処理の流れを示すフローチャート図である。
【０１０６】
地域電力管理装置（３５１）が備える宅内電力消費量記憶装置（３５１−１）は、宅内電力管理装置毎に異なる識別子と宅内電力消費量と宅内電力消費量取得時刻とを関係付けて蓄積することができる。
【０１０７】
地域電力管理装置（３５１）が備える部分電力消費量記憶装置（３５１−４）は、部分電力消費量と部分電力消費量取得時刻とを関係付けて蓄積することができる。
【０１０８】
（ステップＳ４１）
地域電力管理装置（３５１）が備える受信装置（３５１−２）は、宅内電力管理装置（３２１）から送信された宅内電力管理装置毎に異なる識別子と宅内電力消費量と宅内電力消費量取得時刻とを受信可能で、地域電力管理装置（３５１）が備える受信装置（３５１−２）が、宅内電力管理装置（３２１）から送信された宅内電力管理装置毎に異なる識別子と宅内電力消費量と宅内電力消費量取得時刻とを受信した場合、地域電力管理装置（３５１）では以下が実行され、地域電力管理装置（３５１）が備える受信装置（３５１−２）が、宅内電力管理装置毎に異なる識別子と宅内電力消費量と宅内電力消費量取得時刻とを受信しない場合、待機する。
【０１０９】
（ステップＳ４２）
宅内電力消費量蓄積装置（３５１−３）は、受信装置（３５１−２）で受信された宅内電力管理装置毎に異なる識別子と宅内電力消費量と宅内電力消費量取得時刻とを関係付けて宅内電力消費量記憶装置（３５１−１）に蓄積する。
【０１１０】
（ステップＳ４３）
部分電力消費量取得装置（３５１−５）は、予め定められた期間に含まれる宅内電力消費量取得時刻と関係付けて宅内電力消費量記憶装置（３５1−１）に蓄積されている宅内電力消費量を取得する。
但し、予め定められた期間とは時間を予め定められた周期で複数に分割した内の一期間とする。
【０１１１】
（ステップＳ４４）
部分電力消費量算出装置（３５１−６）は、部分電力消費量取得装置（３５１−５）で取得された宅内電力消費量の総量である部分電力消費量を算出する。
【０１１２】
（ステップＳ４５）
部分電力消費量蓄積装置（３５１−７）は、部分電力消費量算出装置（３５１−６）で算出された部分電力消費量と部分電力消費量取得時刻とを関係付けて部分電力消費量記憶装置（３５１−４）に蓄積する。
【０１１３】
但し、部分電力消費量取得時刻とは、予め定められた期間に含まれる時刻の内のいずれか一つの時刻とする。例えば、予め定められた期間が、０５月２０日０２時０５分００秒から０５月２０日０２時０９分００秒までであるとすると、予め定められた期間の中央の時刻、すなわち、０５月２０日０２時０７分００秒であってもよいし、予め定められた期間に含まれる時刻の内、最も前の時刻、すなわち、０５月２０日０２時０５分００秒であってもよいし、予め定められた期間に含まれる時刻の内、最も後の時刻、すなわち、０５月２０日０２時０９分００秒であってもよい。
以上が、地域電力管理装置（３５１）で実行される。
【０１１４】
コンテンツ提供装置（４１１）が備えるアドバイス記憶装置（４１１−１）は、節電アドバイスと地域電力消費量と節電アドバイス順位とを関係付けて蓄積することが可能である。
コンテンツ提供装置（４１１）では以下が実行される。
【０１１５】
（ステップＳ４６）
アドバイス取得装置（４１１−２）は、予め定められた周期でアドバイス記憶装置（４１１−１）に蓄積されている節電アドバイスの内のいずれか一つの節電アドバイスを取得する。
【０１１６】
（ステップＳ４７）
アドバイス取得装置（４１１−２）で節電アドバイスが取得された後、予め定められた周期で、アドバイス取得装置（４１１−２）で再び節電アドバイスが取得されるまでの期間を、節電アドバイスの存続期間とする。
【０１１７】
部分電力消費量取得装置（４１１−１１）は、部分電力消費量記憶装置（３５１−４）に蓄積されている部分電力消費量取得時刻の内、節電アドバイスの存続期間に含まれる部分電力消費量取得時刻を選択し、選択された部分電力消費量取得時刻と関係付けて部分電力消費量記憶装置（３５１−４）に蓄積されている部分電力消費量を取得する。
【０１１８】
（ステップＳ４８）
地域電力消費量算出装置（４１１−４）は、部分電力消費量取得装置（４１１−１１）で取得された部分電力消費量の総量である地域電力消費量を算出する。
【０１１９】
（ステップＳ４９）
地域電力消費量蓄積装置（４１１−５）は、地域電力消費量算出装置（４１１−４）で算出された地域電力消費量を、アドバイス取得装置（４１１−２）で取得された節電アドバイスと関係付けてアドバイス記憶装置（４１１−１）に蓄積する。
【０１２０】
（ステップＳ５０）
アドバイス順位更新装置（４１１−６）は、アドバイス記憶装置（４１１−１）に蓄積されている地域電力消費量に基づいて、アドバイス記憶装置（４１１−１）に蓄積されている節電アドバイス順位を更新する。
【０１２１】
例えば、アドバイス記憶装置（４１１−１）に節電アドバイス１と節電アドバイス２と節電アドバイス３とが蓄積されていて、節電アドバイス１と関係付けてアドバイス記憶装置（４１１−１）に蓄積されている地域電力消費量が１００で、節電アドバイス２と関係付けてアドバイス記憶装置（４１１−１）に蓄積されている地域電力消費量が３００で、節電アドバイス３と関係付けてアドバイス記憶装置（４１１−１）に蓄積されている地域電力消費量が２００である場合、節電アドバイス１と関係付けてアドバイス蓄積装置（４１１−１）に蓄積されている節電アドバイス順位は１とし、節電アドバイス２と関係付けてアドバイス記憶装置（４１１−１）に蓄積されている節電アドバイス順位は３とし、節電アドバイス３と関係付けてアドバイス記憶装置（４１１−１）に蓄積されている節電アドバイス順位は２とする。
以上が、コンテンツ提供装置（４１１）で実行される。
【０１２２】
コンテンツ受信装置（３４１）では以下が実行される。
送信装置（３４１−１）は、コンテンツ提供装置（４１１）に対して、コンテンツ要求信号を送信する。
以上が、コンテンツ受信装置（３４１）で実行される。
【０１２３】
コンテンツ提供装置（４１１）が備える受信装置（４１１−７）は、コンテンツ受信装置（３４１）から送信されたコンテンツ要求信号とを受信可能で、コンテンツ提供装置（４１１）が備える受信装置（４１１−７）が、コンテンツ受信装置（３４１）から送信されたコンテンツ要求信号とを受信した場合、コンテンツ提供装置（４１１）では以下が実行され、コンテンツ提供装置（４１１）が備える受信装置（４１１−７）が、コンテンツ要求信号を受信しない場合、待機する。
【０１２４】
（ステップＳ５１）
コンテンツ作成装置（４１１−８）は、アドバイス記憶装置（４１１−１）に蓄積されている節電アドバイスと節電アドバイス順位との内の一部又は全てを取得し、取得された節電アドバイスと節電アドバイス順位とを含むコンテンツを作成する。
【０１２５】
（ステップＳ５２）
送信装置（４１１−９）は、コンテンツ作成装置（４１１−８）で作成されたコンテンツをコンテンツ受信装置（３４１）に対して送信する。
以上が、コンテンツ提供装置（４１１）で実行される。
【０１２６】
（ステップＳ５３）
コンテンツ受信装置（３４１）の受信装置（３４１−２）は、コンテンツ提供装置（４１１）から送信されたコンテンツを受信可能で、コンテンツ受信装置（３４１）の受信装置（３４１−２）が、コンテンツ提供装置（４１１）から送信されたコンテンツを受信した場合、コンテンツ受信装置（３４１）では以下が実行され、コンテンツ受信装置（３４１）の受信装置（３４１−２）が、コンテンツを受信しない場合、待機する。
【０１２７】
（ステップＳ５４）
コンテンツ視聴装置（３４１−３）は、受信装置（３４１−２）で受信されたコンテンツを視聴者に視聴させる。
以上が、コンテンツ受信装置（３４１）で実行される。
【０１２８】
第２の実施形態を用いることによって、以下の効果を得ることが可能となる。
第１の実施形態では、コンテンツ提供装置に対して拠点の宅内電力消費量と宅内電力消費量取得時刻とを全て送信しなければ、コンテンツ提供装置は、節電アドバイス順位を算出することができなかった。
【０１２９】
したがって、通信量が多くなるため、節電アドバイスシステムが大規模なものとなることが予測される。
【０１３０】
また、拠点の宅電力消費量と宅内電力消費量取得時刻とを送信しなければならないため、節電アドバイス順位を算出できるのは、信頼のおけるコンテンツ提供装置のみに限定された。
【０１３１】
第２の実施形態では、地域電力管理装置は、拠点の宅内電力消費量と宅内電力消費量取得時刻とに基づいて、部分電力消費量と部分電力消費量取得時刻とを算出し、算出された部分電力消費量と部分電力消費量取得時刻とをコンテンツ提供装置に対して送信する。
また、コンテンツ提供装置は、部分電力消費量と部分電力消費量取得時刻とに基づいて、節電アドバイス順位を算出することが可能である。
【０１３２】
したがって、地域電力管理装置とコンテンツ提供装置との間の通信は、第１の実施形態と比較して、通信量が少なく、秘匿性が高くなるため、節電アドバイスシステムの規模が大きくなるようなことはなく、また、コンテンツ提供装置を限定する必要がなくなる。
【０１３３】
（第３の実施形態）
本発明における節電アドバイスシステムの一構成例について図３に示した。
図３によれば、節電アドバイスシステムは、拠点１（４０１）と拠点２（４０２）と拠点３（４０３）から拠点ｎ（４０ｎ）までと地域電力管理装置（３５１）とコンテンツ提供装置１（４１１）とコンテンツ提供装置２（４１２）とコンテンツ提供装置３（４１３）からコンテンツ提供装置ｎ（４１ｎ）までとを含んで構成されている。
【０１３４】
また、拠点１（４０１）と地域電力管理装置（３５１）とは電気通信回線を介して接続され、拠点２（４０２）と地域電力管理装置（３５１）とは電気通信回線を介して接続され、拠点３（４０３）から拠点ｎ（４０ｎ）までの各々と地域電力管理装置（３５１）とは電気通信回線を介して接続され、地域電力管理装置（３５１）とコンテンツ提供装置１（４１１）とは電気通信回線を介して接続され、地域電力管理装置（３５１）とコンテンツ提供装置２（４１２）とは電気通信回線を介して接続され、地域電力管理装置（３５１）とコンテンツ提供装置３（４１３）からコンテンツ提供装置ｎ（４１ｎ）までの各々とは電気通信回線を介して接続されているものとする。
【０１３５】
ここで、拠点１（４０１）と地域電力管理装置（３５１）との接続に関する説明は、拠点２（４０２）と地域電力管理装置（３５１）との接続に関する説明と、拠点３（４０３）から拠点ｎ（４０ｎ）までの各々と地域電力管理装置（３５１）との接続に関する説明と、同一であるため、以下においては、拠点２（４０２）と地域電力管理装置（３５１）との接続に関する説明と、拠点３（４０３）から拠点ｎ（４０ｎ）までの各々と地域電力管理装置（３５１）との接続に関する説明と、はおこなわないものとする。
【０１３６】
また、地域電力管理装置（３５１）とコンテンツ提供装置１（４１１）との接続に関する説明は、地域電力管理装置（３５１）とコンテンツ提供装置２（４１２）との接続に関する説明と、地域電力管理装置（３５１）とコンテンツ提供装置３（４１３）からサービス提供装置ｎ（４１ｎ）までの各々との接続に関する説明と、同一であるため、以下においては、地域電力管理装置（３５１）とコンテンツ提供装置２（４１２）との接続に関する説明と、地域電力管理装置（３５１）とコンテンツ提供装置３（４１３）からコンテンツ提供装置ｎ（４１ｎ）までの各々との接続に関する説明と、はおこなわないものとする。
【０１３７】
図４Ｂは、拠点１（４０１）の一構成例を示す図である。
図４Ｂによれば、拠点１（４０１）は、電力源（３０１）と分電装置（３１１）と宅内電力管理装置（３２１）と負荷装置１（３３１）と負荷装置２（３３２）と負荷装置３（３３３）から負荷装置ｎ（３３ｎ）までとコンテンツ受信装置（３４１）とを含んで構成される。
【０１３８】
また、電力源（３０１）と分電装置（３１１）とは電力線を介して接続され、分電装置（３１１）と負荷装置１（３３１）とは電力線を介して接続され、分電装置（３１１）と負荷装置２（３３２）とは電力線を介して接続され、分電装置（３１１）と負荷装置３（３３３）から負荷装置ｎ（３３ｎ）までの各々とは電力線を介して接続されているものとする。
【０１３９】
また、分電装置（３１１）と宅内電力管理装置（３２１）とが電力線を介して接続される場合と、分電装置（３１１）とコンテンツ受信装置（３４１）とが電力線を介して接続される場合と、が考えられるが、本発明とはあまり関係がないため、説明はおこなわないものとする。
【０１４０】
また、負荷装置１（３３１）と宅内電力管理装置（３２１）とは電気通信回線を介して接続され、負荷装置２（３３２）と宅内電力管理装置（３２１）とは電気通信回線を介して接続され、負荷装置３（３３３）から負荷装置ｎ（３３ｎ）までの各々と宅内電力管理装置（３２１）とは電気通信回線を介して接続され、宅内電力管理装置（３２１）と地域電力管理装置（３５１）とは電気通信回線を介して接続され、コンテンツ提供装置（４１１）とコンテンツ受信装置（３４１）とは電気通信回線を介して接続されているものとする。
【０１４１】
また、負荷装置１（３３１）と宅内電力管理装置（３２１）との接続に関する説明は、負荷装置２（３３２）と宅内電力管理装置（３２１）との接続に関する説明と、負荷装置３（３３３）から負荷装置ｎ（３３ｎ）までの各々と宅内電力管理装置（３２１）との接続に関する説明と、同一であるため、以下においては、負荷装置２（３３２）と宅内電力管理装置（３２１）との接続に関する説明と、負荷装置３（３３３）から負荷装置ｎ（３３ｎ）までの各々と宅内電力管理装置（３２１）との接続に関する説明と、はおこなわないものとする。
【０１４２】
図５Ｂは、負荷装置１（３３１）の一構成例を示す図である。図５Ｂによれば、負荷装置１（３３１）は、宅内電力消費量取得装置（３３１−１）と送信装置（３３１−２）とを備えている。
【０１４３】
図６は、宅内電力管理装置（３２１）の一構成例を示す図である。
図６によれば、宅内電力管理装置（３２１）は、宅内電力消費量記憶装置（３２１−１）と受信装置（３２１−２）と宅内電力消費量蓄積装置（３２１−３）と宅内電力消費量取得装置（３２１−４）と送信装置（３２１−５）とを備えている。
【０１４４】
図７Ａは、地域電力管理装置（３５１）の一構成例を示す図である。
図７Ａによれば、地域電力管理装置（３５１）は、宅内電力消費量記憶装置（３５１−１）と受信装置（３５１−２）と宅内電力消費量蓄積装置（３５１−３）とを備えている。
【０１４５】
図８Ｃは、コンテンツ提供装置（４１１）の一構成例を示す図である。
図８Ｃによれば、コンテンツ提供装置（４１１）は、アドバイス記憶装置（４１１−１）とアドバイス取得装置（４１１−２）と宅内電力消費量取得装置（４１１−３）と地域電力消費量算出装置（４１１−４）と地域電力消費量蓄積装置（４１１−５）とアドバイス順位更新装置（４１１−６）と受信装置（４１１−７）とコンテンツ作成装置（４１１−８）と送信装置（４１１−９）とコンテンツ構成装置（４１１−１０）とを備えている。
【０１４６】
図９は、コンテンツ受信装置（３４１）の一構成例を示す図である。
図９によれば、コンテンツ受信装置（３４１）は、送信装置（３４１−１）と受信装置（３４１−２）とコンテンツ視聴装置（３４１−３）とを備えている。
【０１４７】
図１０Ｂは、第３の実施形態における負荷装置１（３３１）と宅内電力管理装置（３２１）とに関する処理の流れを示すフローチャート図である。
図１０Ｂによれば、Ｓｔａｒｔ後、図１０Ｂに示すように、負荷装置１（３３１）では、以下が実行される。
【０１４８】
（ステップＳ６１）
宅内電力消費量取得装置（３３１−１）で宅内電力消費量と、宅内電力消費量を取得した時刻である宅内電力消費量取得時刻と、が取得された後、予め定められた周期で、宅内電力消費量取得装置（３３１−１）で再び宅内電力消費量と宅内電力消費量取得時刻とが取得されるまでの期間を、宅内電力消費量の積算期間とする。
宅内電力消費量は、宅内電力消費量の積算期間内に、分電装置（３１１）から負荷装置１（３３１）に対して供給された電力量の積算値とする。
【０１４９】
宅内電力消費量取得装置（３３１−１）は、宅内電力消費量と宅内電力消費量取得時刻とを取得する。
【０１５０】
（ステップＳ６２）
送信装置（３３１−２）は、宅内電力消費量取得装置（３３１−１）で取得された、宅内電力消費量と宅内電力消費量取得時刻と、負荷装置種別と、を宅内電力管理装置（３２１）に対して送信する。
但し、負荷装置種別とは、冷蔵庫、テレビ、空調等のような、機能による分類を示す。
以上が、負荷装置１（３３１）で実行される。
【０１５１】
また、分電装置（３１１）と宅内電力管理装置（３２１）とが電気通信回線を介して接続されている場合、Ｓｔａｒｔ後、分電装置（３１１）では、以下が実行されても良い。
宅内電力消費量取得装置（３１１−１）で宅内電力消費量と、宅内電力消費量を取得した時刻である宅内電力消費量取得時刻と、が取得された後、予め定められた周期で、宅内電力消費量取得装置（３１１−１）で再び宅内電力消費量と宅内電力消費量取得時刻とが取得されるまでの期間を、宅内電力消費量の積算期間とする。
宅内電力消費量は、宅内電力消費量の積算期間内に、電力源（３０１）から分電装置（３１１）に対して供給された電力量の積算値とする。
【０１５２】
宅内電力消費量取得装置（３１１−１）は、宅内電力消費量と宅内電力消費量取得時刻とを取得する。
【０１５３】
送信装置（３１１−２）は、宅内電力消費量取得装置（３１１−１）で取得された、宅内電力消費量と宅内電力消費量取得時刻と、負荷装置種別と、を宅内電力管理装置（３２１）に対して送信する。
但し、負荷機器種別は、分電装置等とする。
以上が、分電装置（３１１）で実行される。
【０１５４】
（ステップＳ６３）
宅内電力管理装置（３２１）が備える宅内電力消費量記憶装置（３２１−１）は、宅内電力消費量と宅内電力取得時刻と負荷装置種別とを関係付けて蓄積することができる。
【０１５５】
宅内電力管理装置（３２１）が備える受信装置（３２１−２）は、負荷装置１（３３１）から送信された宅内電力消費量と宅内電力消費量取得時刻と負荷装置種別とを受信可能で、宅内電力管理装置（３２１）が備える受信装置（３２１−２）が、負荷装置１（３３１）から送信された宅内電力消費量と宅内電力消費量取得時刻と負荷装置種別とを受信した場合、宅内電力管理装置（３２１）では以下が実行され、宅内電力管理装置（３２１）が備える受信装置（３２１−２）が、宅内電力消費量と宅内電力消費量取得時刻と負荷装置種別とを受信しない場合、待機する。
【０１５６】
（ステップＳ６４）
宅内電力消費量蓄積装置（３２１−３）は、受信装置（３２１−２）で受信された宅内電力消費量と宅内電力消費量取得時刻と負荷装置種別とを関係付けて宅内電力消費量記憶装置（３２１−１）に蓄積する。
【０１５７】
（ステップＳ６５）
宅内電力消費量取得装置（３２１−４）は、予め定められた周期で、宅内電力消費量記憶装置（３２１−１）に蓄積されている宅内電力消費量と宅内電力消費量取得時刻と負荷装置種別との内、地域電力管理装置（３５１）に対して送信されていない宅内電力消費量と宅内電力消費量取得時刻と負荷装置種別とを取得する。
【０１５８】
（ステップＳ６６）
送信装置（３２１−５）は、宅内電力管理装置毎に異なる識別子と、宅内電力消費量取得装置（３２１−４）で取得された宅内電力消費量と宅内電力消費量取得時刻と負荷装置種別と、を地域電力管理装置（３５１）に対して送信する。
以上が、宅内電力管理装置（３２１）で実行される。
【０１５９】
また、宅内電力管理装置（３２１）では以下が実行されても良い。
宅内電力管理装置（３２１）が備える宅内電力消費量記憶装置（３２１−１）は、宅内電力消費量と宅内電力取得時刻と負荷装置種別とを関係付けて蓄積することができる。
宅内電力管理装置（３２１）が備える受信装置（３２１−２）は、負荷装置１（３３１）から送信された宅内電力消費量と宅内電力消費量取得時刻と負荷装置種別とを受信可能で、宅内電力管理装置（３２１）が備える受信装置（３２１−２）が、負荷装置１（３３１）から送信された宅内電力消費量と宅内電力消費量取得時刻と負荷装置種別とを受信した場合、宅内電力管理装置（３２１）では以下が実行され、宅内電力管理装置（３２１）が備える受信装置（３２１−２）が、宅内電力消費量と宅内電力消費量取得時刻と負荷装置種別とを受信しない場合、待機する。
【０１６０】
送信装置（３２１−５）は、宅内電力管理装置毎に異なる識別子と、受信装置（３２１−２）で取得された宅内電力消費量と宅内電力消費量取得時刻と負荷装置種別と、を地域電力管理装置（３５１）に対して送信する。
以上が、宅内電力管理装置（３２１）で実行される。
【０１６１】
図１１Ｃは、第１の実施形態における地域電力管理装置（３５１）とコンテンツ提供装置（４１１）とコンテンツ受信装置（３４１）とに関する処理の流れを示すフローチャート図である。
【０１６２】
（ステップＳ７１）
地域電力管理装置（３５１）が備える受信装置（３５１−２）は、宅内電力管理装置（３２１）から送信された宅内電力管理装置毎に異なる識別子と宅内電力消費量と宅内電力消費量取得時刻と負荷装置種別とを受信可能で、地域電力管理装置（３５１）が備える受信装置（３５１−２）が、宅内電力管理装置（３２１）から送信された宅内電力管理装置毎に異なる識別子と宅内電力消費量と宅内電力消費量取得時刻と負荷装置種別とを受信した場合、地域電力管理装置（３５１）では以下が実行され、地域電力管理装置（３５１）が備える受信装置（３５１−２）が、宅内電力管理装置毎に異なる識別子と宅内電力消費量と宅内電力消費量取得時刻と負荷装置種別とを受信しない場合、待機する。
【０１６３】
（ステップＳ７２）
地域電力管理装置（３５１）が備える宅内電力消費量記憶装置（３５１−１）は、宅内電力管理装置毎に異なる識別子と宅内電力消費量と宅内電力消費量取得時刻と負荷装置種別とを関係付けて蓄積することができる。
宅内電力消費量蓄積装置（３５１−３）は、受信装置（３５１−２）で受信された宅内電力管理装置毎に異なる識別子と宅内電力消費量と宅内電力消費量取得時刻と負荷装置種別とを関係付けて宅内電力消費量記憶装置（３５１−１）に蓄積する。
以上が、地域電力管理装置（３５１）で実行される。
【０１６４】
コンテンツ提供装置（４１１）が備えるアドバイス記憶装置（４１１−１）は、節電アドバイスと地域電力消費量と節電アドバイス順位と負荷装置種別とを関係付けて蓄積することが可能である。
以下、（ステップＳ７８）までにおける地域電力管理装置（３５１）とコンテンツ提供装置（４１１）とに含まれる各装置では負荷装置種別毎に処理が実行されるため、一つの負荷装置種別に関する説明のみをおこなう。
コンテンツ提供装置（４１１）では以下が実行される。
【０１６５】
（ステップＳ７３）
アドバイス取得装置（４１１−２）は、予め定められた周期でアドバイス記憶装置（４１１−１）に蓄積されている節電アドバイスの内のいずれか一つの節電アドバイスを取得する。
【０１６６】
（ステップＳ７４）
アドバイス取得装置（４１１−２）で節電アドバイスが取得された後、予め定められた周期で、アドバイス取得装置（４１１−２）で再び節電アドバイスが取得されるまでの期間を、節電アドバイスの存続期間とする。
【０１６７】
宅内電力消費量取得装置（４１１−３）は、宅内電力消費量記憶装置（３５１−１）に蓄積されている宅内電力消費量取得時刻の内、節電アドバイスの存続期間に含まれる宅内電力消費量取得時刻を選択し、選択された宅内電力消費量取得時刻と関係付けて宅内電力消費量記憶装置（３５１−１）に蓄積されている宅内電力消費量を取得する。
【０１６８】
（ステップＳ７５）
地域電力消費量算出装置（４１１−４）は、宅内電力消費量取得装置（４１１−３）で取得された宅内電力消費量の総量である地域電力消費量を算出する。
【０１６９】
（ステップＳ７６）
地域電力消費量蓄積装置（４１１−５）は、地域電力消費量算出装置（４１１−４）で算出された地域電力消費量を、アドバイス取得装置（４１１−２）で取得された節電アドバイスと関係付けてアドバイス記憶装置（４１１−１）に蓄積する。
【０１７０】
（ステップＳ７７）
アドバイス順位更新装置（４１１−６）は、アドバイス記憶装置（４１１−１）に蓄積されている地域電力消費量に基づいて、アドバイス記憶装置（４１１−１）に蓄積されている節電アドバイス順位を更新する。
【０１７１】
例えば、アドバイス記憶装置（４１１−１）に節電アドバイス１と節電アドバイス２と節電アドバイス３とが蓄積されていて、節電アドバイス１と関係付けてアドバイス記憶装置（４１１−１）に蓄積されている地域電力消費量が１００で、節電アドバイス２と関係付けてアドバイス記憶装置（４１１−１）に蓄積されている地域電力消費量が３００で、節電アドバイス３と関係付けてアドバイス記憶装置（４１１−１）に蓄積されている地域電力消費量が２００である場合、節電アドバイス１と関係付けてアドバイス蓄積装置（４１１−１）に蓄積されているアドバイス順位は１とし、節電アドバイス２と関係付けてアドバイス記憶装置（４１１−１）に蓄積されている節電アドバイス順位は３とし、節電アドバイス３と関係付けてアドバイス記憶装置（４１１−１）に蓄積されている節電アドバイス順位は２とする。
以上が、コンテンツ提供装置（４１１）で実行される。
【０１７２】
コンテンツ受信装置（３４１）では以下が実行される。
送信装置（３４１−１）は、コンテンツ提供装置（４１１）に対して、コンテンツ要求信号を送信する。
以上が、コンテンツ受信装置（３４１）で実行される。
【０１７３】
コンテンツ提供装置（４１１）が備える受信装置（４１１−７）は、コンテンツ受信装置（３４１）から送信されたコンテンツ要求信号を受信可能で、コンテンツ提供装置（４１１）が備える受信装置（４１１−７）が、コンテンツ受信装置（３４１）から送信されたコンテンツ要求信号を受信した場合、コンテンツ提供装置（４１１）では以下が実行され、コンテンツ提供装置（４１１）が備える受信装置（４１１−７）が、コンテンツ要求信号を受信しない場合、待機する。
【０１７４】
（ステップＳ７８）
コンテンツ作成装置（４１１−８）は、アドバイス記憶装置（４１１−１）に蓄積されている節電アドバイスと節電アドバイス順位との内の一部又は全てを取得し、取得された節電アドバイスと節電アドバイス順位とを含むコンテンツを作成する。
【０１７５】
（ステップＳ７９）
コンテンツ構成装置（４１１−１０）は、コンテンツ作成装置（４１１−８）で作成された負荷装置種別分のコンテンツの内の一部又は全てを含んだコンテンツを作成する。
【０１７６】
（ステップＳ８０）
送信装置（４１１−９）は、コンテンツ構成装置（４１１−１０）で作成されたコンテンツをコンテンツ受信装置（３４１）に対して送信する。
以上がコンテンツ提供装置（４１１）で実行される。
【０１７７】
（ステップＳ８１）
コンテンツ受信装置（３４１）の受信装置（３４１−２）は、コンテンツ提供装置（４１１）から送信されたコンテンツを受信可能で、コンテンツ受信装置（３４１）の受信装置（３４１−２）が、コンテンツ提供装置（４１１）から送信されたコンテンツを受信した場合、コンテンツ受信装置（３４１）では以下が実行され、コンテンツ受信装置（３４１）の受信装置（３４１−２）が、コンテンツを受信しない場合、待機する。
【０１７８】
（ステップＳ８２）
コンテンツ視聴装置（３４１−３）は、受信装置（３４１−２）で受信されたコンテンツを視聴者に視聴させる。
以上が、コンテンツ受信装置（３４１）で実行される。
【０１７９】
第３の実施形態を用いることによって、以下の効果を得ることが可能となる。
第１の実施形態と第２の実施形態とでは、宅内電力消費量は、分電装置から提供される宅内電力消費量のみとし、節電アドバイス順位は全ての節電アドバイスを対象としていた。
第３の実施形態では、宅内電力消費量は、負荷装置と分電装置とから送信される宅内電力消費量とし、節電アドバイス順位は、負荷装置種別毎に用意された節電アドバイスに対して、負荷装置種別毎に付けられる。
【０１８０】
したがって、第１の実施形態と第２の実施形態とでは、提供されている節電アドバイスで対象とされている負荷装置が少ないため、実測値が下がらず、節電アドバイス順位が下位となっている節電アドバイスであっても、第３の実施形態では、負荷装置種別毎に節電アドバイスの有効性を評価するため、より正確な節電アドバイス順位をサービス利用者に提供することができる。
【０１８１】
（第４の実施形態）
第４の実施形態では、図５Ａと図６と図７Ｂと図８Ｄと図９とを利用して説明する。
図５Ａと図６と図７Ｂと図９については第１の実施形態で説明をおこなった。
【０１８２】
図８Ｄは、コンテンツ提供装置（４１１）の一構成例を示す図である。
図８Ｄによれば、コンテンツ提供装置（４１１）は、アドバイス記憶装置（４１１−１）とアドバイス取得装置（４１１−２）と部分電力消費量取得装置（４１１−１１）と地域電力消費量算出装置（４１１−４）と地域電力消費量蓄積装置（４１１−５）とアドバイス順位更新装置（４１１−６）と受信装置（４１１−７）とコンテンツ作成装置（４１１−８）と送信装置（４１１−９）とコンテンツ構成装置（４１１−１０）と宅内電力消費量取得装置（４１１−３）とを備えている。
【０１８３】
第４の実施形態では、第３の実施形態における、宅内電力管理装置毎に異なる識別子と宅内電力消費量と宅内電力消費量取得時刻と負荷装置種別とが、地域電力管理装置（３５１）に対して送信されるまでは、同一であるため、説明は行わないものとする。
【０１８４】
図１１Ｄは、第４の実施形態における地域電力管理装置（３５１）とコンテンツ提供装置（４１１）とコンテンツ受信装置（３４１）とに関する処理の流れを示すフローチャート図である。
【０１８５】
地域電力管理装置（３５１）が備える宅内電力消費量記憶装置（３５１−１）は宅内電力管理装置毎に異なる識別子と宅内電力消費量と宅内電力消費量取得時刻と負荷装置種別とを関係付けて蓄積することができる。
地域電力管理装置（３５１）が備える部分電力消費量記憶装置（３５１−４）は、部分電力消費量と部分電力消費量取得時刻と負荷装置種別とを関係付けて蓄積することができる。
【０１８６】
（ステップＳ９１）
地域電力管理装置（３５１）が備える受信装置（３５１−２）は、宅内電力管理装置（３２１）から送信された宅内電力管理装置毎に異なる識別子と宅内電力消費量と宅内電力消費量取得時刻と負荷装置種別とを受信可能で、地域電力管理装置（３５１）が備える受信装置（３５１−２）が、宅内電力管理装置（３２１）から送信された宅内電力管理装置毎に異なる識別子と宅内電力消費量と宅内電力消費量取得時刻と負荷装置種別とを受信した場合、地域電力管理装置（３５１）では以下が実行され、地域電力管理装置（３５１）が備える受信装置（３５１−２）が、宅内電力管理装置毎に異なる識別子と宅内電力消費量と宅内電力消費量取得時刻と負荷装置種別とを受信しない場合、待機する。
【０１８７】
（ステップＳ９２）
宅内電力消費量蓄積装置（３５１−３）は、受信装置（３５１−２）で受信された宅内電力管理装置毎に異なる識別子と宅内電力消費量と宅内電力消費量取得時刻と負荷装置種別とを関係付けて宅内電力消費量記憶装置（３５１−１）に蓄積する。
【０１８８】
以下、（ステップＡ１）までにおける地域電力管理装置（３５１）とコンテンツ提供装置（４１１）とに含まれる各装置では負荷装置種別毎に処理が実行されるため、一つの負荷装置種別に関する説明のみをおこなう。
【０１８９】
（ステップＳ９３）
宅内電力消費量取得装置（３５１−５）は、予め定められた期間に含まれる宅内電力消費量取得時刻と関係付けて宅内電力消費量記憶装置（３５1−１）に蓄積されている宅内電力消費量を取得する。
但し、予め定められた期間とは時間を予め定められた周期で複数に分割した内の一期間とする。
【０１９０】
（ステップＳ９４）
部分電力消費量算出装置（３５１−６）は、部分電力消費量取得装置（３５１−５）で取得された宅内電力消費量の総量である部分電力消費量を算出する。
【０１９１】
（ステップＳ９５）
部分電力消費量蓄積装置（３５１−７）は、部分電力消費量算出装置（３５１−６）で算出された部分電力消費量と部分電力消費量取得時刻とを関係付けて部分電力消費量記憶装置（３５１−４）に蓄積する。
但し、部分電力消費量取得時刻とは、予め定められた期間に含まれる時刻の内のいずれか一つの時刻とする。例えば、予め定められた期間が、０５月２０日０２時０５分００秒から０５月２０日０２時０９分００秒までであるとすると、予め定められた期間の中央の時刻、すなわち、０５月２０日０２時０７分００秒であってもよいし、予め定められた期間に含まれる時刻の内、最も前の時刻、すなわち、０５月２０日０２時０５分００秒であってもよいし、予め定められた期間に含まれる時刻の内、最も後の時刻、すなわち、０５月２０日０２時０９分００秒であってもよい。
以上が、地域電力管理装置（３５１）で実行される。
【０１９２】
コンテンツ提供装置（４１１）が備えるアドバイス記憶装置（４１１−１）は、節電アドバイスと地域電力消費量と節電アドバイス順位とを関係付けて蓄積することが可能である。
コンテンツ提供装置（４１１）では以下が実行される。
【０１９３】
（ステップＳ９６）
アドバイス取得装置（４１１−２）は、予め定められた周期でアドバイス記憶装置（４１１−１）に蓄積されている節電アドバイスの内のいずれか一つの節電アドバイスを取得する。
【０１９４】
（ステップＳ９７）
アドバイス取得装置（４１１−２）で節電アドバイスが取得された後、予め定められた周期で、アドバイス取得装置（４１１−２）で再び節電アドバイスが取得されるまでの期間を、節電アドバイスの存続期間とする。
部分電力消費量取得装置（４１１−１１）は、部分電力消費量記憶装置（３５１−４）に蓄積されている部分電力消費量取得時刻の内、節電アドバイスの存続期間に含まれる部分電力消費量取得時刻を選択し、選択された部分電力消費量取得時刻と関係付けて部分電力消費量記憶装置（３５１−４）に蓄積されている部分電力消費量を取得する。
【０１９５】
（ステップＳ９８）
地域電力消費量算出装置（４１１−４）は、部分電力消費量取得装置（４１１−１１）で取得された部分電力消費量の総量である地域電力消費量を算出する。
【０１９６】
（ステップＳ９９）
地域電力消費量蓄積装置（４１１−５）は、地域電力消費量算出装置（４１１−４）で算出された地域電力消費量を、アドバイス取得装置（４１１−２）で取得された節電アドバイスと関係付けてアドバイス記憶装置（４１１−１）に蓄積する。
【０１９７】
（ステップＳＡ０）
アドバイス順位更新装置（４１１−６）は、アドバイス記憶装置（４１１−１）に蓄積されている地域電力消費量に基づいて、アドバイス記憶装置（４１１−１）に蓄積されている節電アドバイス順位を更新する。
例えば、アドバイス記憶装置（４１１−１）に節電アドバイス１と節電アドバイス２と節電アドバイス３とが蓄積されていて、節電アドバイス１と関係付けてアドバイス記憶装置（４１１−１）に蓄積されている地域電力消費量が１００で、節電アドバイス２と関係付けてアドバイス記憶装置（４１１−１）に蓄積されている地域電力消費量が３００で、節電アドバイス３と関係付けてアドバイス記憶装置（４１１−１）に蓄積されている地域電力消費量が２００である場合、節電アドバイス１と関係付けてアドバイス記憶装置（４１１−１）に蓄積されている節電アドバイス順位は１とし、節電アドバイス２と関係付けてアドバイス記憶装置（４１１−１）に蓄積されている節電アドバイス順位は３とし、節電アドバイス３と関係付けてアドバイス記憶装置（４１１−１）に蓄積されている節電アドバイス順位は２とする。
以上が、コンテンツ提供装置（４１１）で実行される。
【０１９８】
コンテンツ受信装置（３４１）では以下が実行される。
送信装置（３４１−１）は、コンテンツ提供装置（４１１）に対して、コンテンツ要求信号を送信する。
以上が、コンテンツ受信装置（３４１）で実行される。
【０１９９】
コンテンツ提供装置（４１１）が備える受信装置（４１１−７）は、コンテンツ受信装置（３４１）から送信されたコンテンツ要求信号を受信可能で、コンテンツ提供装置（４１１）が備える受信装置（４１１−７）が、コンテンツ受信装置（３４１）から送信されたコンテンツ要求信号を受信した場合、コンテンツ提供装置（４１１）では以下が実行され、コンテンツ提供装置（４１１）が備える受信装置（４１１−７）が、コンテンツ要求信号を受信しない場合、待機する。
【０２００】
（ステップＳＡ１）
コンテンツ作成装置（４１１−８）は、アドバイス記憶装置（４１１−１）に蓄積されている節電アドバイスと節電アドバイス順位との内の一部又は全てを取得し、取得された節電アドバイスと節電アドバイス順位とを含むコンテンツを作成する。
【０２０１】
（ステップＳＡ２）
コンテンツ構成装置（４１１−１０）は、コンテンツ作成装置（４１１−８）で作成された負荷装置種別分のコンテンツの内の一部又は全てのコンテンツを含んだコンテンツを作成する。
【０２０２】
（ステップＳＡ３）
送信装置（４１１−９）は、コンテンツ構成装置（４１１−１０）で作成されたコンテンツをコンテンツ受信装置（３４１）に対して送信する。
以上がコンテンツ提供装置（４１１）で実行される。
【０２０３】
（ステップＳＡ４）
コンテンツ受信装置（３４１）の受信装置（３４１−２）は、コンテンツ提供装置（４１１）から送信されたコンテンツを受信可能で、コンテンツ受信装置（３４１）の受信装置（３４１−２）が、コンテンツ提供装置（４１１）から送信されたコンテンツを受信した場合、コンテンツ受信装置（３４１）では以下が実行される。
【０２０４】
（ステップＳＡ５）
コンテンツ視聴装置（３４１−３）は、受信装置（３４１−２）で受信されたコンテンツを視聴者に視聴させる。
以上が、コンテンツ受信装置（３４１）で実行される。
【０２０５】
第４の実施形態を用いることによって、以下の効果を得ることが可能となる。
第１の実施形態と第２の実施形態とでは、コンテンツ提供装置に対して、分電装置から提供される宅内電力消費量と宅内電力消費量取得時刻とを提供していた。
【０２０６】
第３の実施形態では、コンテンツ提供装置に対して負荷装置から提供される宅内電力消費量と宅内電力消費量取得時刻とを提供していた。
【０２０７】
第４の実施形態では、地域電力管理装置は、負荷装置から提供される宅内電力消費量と宅内電力消費量取得時刻とに基づいて、負荷装置毎に、部分電力消費量と部分電力消費量取得時刻とを算出し、算出された部分電力消費量と部分電力消費量取得時刻とをコンテンツ提供装置に対して送信する。
また、コンテンツ提供装置は、部分電力消費量と部分電力消費量取得時刻とに基づいて、負荷装置毎に、節電アドバイス順位を算出する。
【０２０８】
したがって、地域電力管理装置とコンテンツ提供装置との間の通信は、第３の実施形態と比較して、通信量が少なく、秘匿性が高くなるため、節電アドバイスシステムの規模が大きくなるようなことはなく、また、コンテンツ提供装置を限定する必要がなくなる。
【０２０９】
（第５の実施形態）
第５の実施形態では、第１の実施形態から第４の実施形態までにおけるコンテンツ提供装置（４１１）が異なる。したがって、第５の実施形態では、コンテンツ受信装置（３４１）とコンテンツ提供装置（４１１）とに関する説明のみをおこなう。
【０２１０】
コンテンツ受信装置（３４１）では以下が実行される。
送信装置（３４１−１）は、コンテンツ提供装置に対して、宅内電力管理装置毎に異なる識別子とコンテンツ要求信号とを送信する。
以上が、コンテンツ受信装置（３４１）で実行される。
【０２１１】
コンテンツ提供装置（４１１）が備える受信装置（４１１−７）は、コンテンツ受信装置（３４１）から送信された宅内電力管理装置毎に異なる識別子とコンテンツ要求信号とを受信可能で、コンテンツ提供装置（４１１）が備える受信装置（４１１−７）が、コンテンツ受信装置（３４１）から送信された宅内電力管理装置毎に異なる識別子とコンテンツ要求信号とを受信した場合、コンテンツ提供装置（４１１）では以下が実行される。
【０２１２】
宅内電力消費量取得装置（４１１−３）は、受信装置（４１１−７）で受信された宅内電力管理装置毎に異なる識別子と関係付けて宅内電力消費量記憶装置（４１１−１）に蓄積されている宅内電力消費量の内の一部又は全てを取得する。
【０２１３】
コンテンツ作成装置（４１１―８）は、アドバイス取得装置（４１１−２）で取得された節電アドバイスと、取得された節電アドバイスと関係付けてアドバイス記憶装置（４１１−１）に蓄積されている節電アドバイス順位を取得する。
【０２１４】
次に、取得された節電アドバイスと節電アドバイス順位と宅内電力消費量と、をさらに含むコンテンツを作成する。
【０２１５】
第５の実施形態を利用することによって、以下の効果を得ることが可能である。
第１の実施形態から第４の実施形態まででは、サービス受信装置の利用者は、節電アドバイスのみを視聴していた。
第５の実施形態では、サービス受信装置の利用者は、節電アドバイスと宅内電力消費量とを視聴することが可能となるため、節電アドバイスを実行した場合、その効果を確認することが可能である。
【０２１６】
（第６の実施形態）
第６の実施形態では、第１の実施形態と第２の実施形態とにおける（ステップ１６）と（ステップ２１）と(ステップ２２)と、第３の実施形態と第４の実施形態とにおける（ステップ６６）と（ステップ７１）と（ステップ７２）とが異なる。したがって、第６の実施形態では、（ステップ１６）と(ステップ２１)と(ステップ２２)と（ステップ６６）と（ステップ７１）と（ステップ７２）とに関する説明のみをおこなう。
【０２１７】
（ステップＳ１６）
送信装置（３２１−５）は、宅内電力管理装置毎に異なる識別子と、宅内電力消費量取得装置（３２１−４）で取得された宅内電力消費量と宅内電力消費量取得時刻と、を地域電力管理装置（３５１）に対して送信する。
【０２１８】
（ステップＳ２１）
地域電力管理装置（３５１）が備える受信装置（３５１−２）は、宅内電力管理装置（３２１）から送信された宅内電力消費量と宅内電力消費量取得時刻とを受信可能で、地域電力管理装置（３５１）が備える受信装置（３５１−２）が、宅内電力管理装置（３２１）から送信された宅内電力消費量と宅内電力消費量取得時刻とを受信した場合、地域電力管理装置（３５１）では以下が実行され、地域電力管理装置（３５１）が備える受信装置（３５１−２）が、宅内電力消費量と宅内電力消費量取得時刻とを受信しない場合、待機する。
【０２１９】
（ステップＳ２２）
地域電力管理装置（３５１）が備える宅内電力消費量記憶装置（３５１−１）は、宅内電力消費量と宅内電力消費量取得時刻とを関係付けて蓄積することができる。
宅内電力消費量蓄積装置（３５１−３）は、受信装置（３５１−２）で受信された宅内電力消費量と宅内電力消費量取得時刻とを関係付けて宅内電力消費量記憶装置（３５１−１）に蓄積する。
【０２２０】
（ステップＳ６６）
送信装置（３２１−５）は、宅内電力消費量取得装置（３２１−４）で取得された宅内電力消費量と宅内電力消費量取得時刻と負荷装置種別とを地域電力管理装置（３５１）に対して送信する。
【０２２１】
（ステップＳ７１）
地域電力管理装置（３５１）が備える受信装置（３５１−２）は、宅内電力管理装置（３２１）から送信された宅内電力消費量と宅内電力消費量取得時刻と負荷装置種別とを受信可能で、地域電力管理装置（３５１）が備える受信装置（３５１−１）が、宅内電力管理装置（３２１）から送信された宅内電力消費量と宅内電力消費量取得時刻と負荷装置種別とを受信した場合、地域電力管理装置（３５１）では以下が実行され、地域電力管理装置（３５１）が備える受信装置（３５１−２）が、宅内電力消費量と宅内電力消費量取得時刻と負荷装置種別とを受信しない場合、待機する。
【０２２２】
（ステップＳ７２）
地域電力管理装置（３５１）が備える宅内電力消費量記憶装置（３５１−１）は、宅内電力消費量と宅内電力消費量取得時刻と負荷装置種別とを関係付けて蓄積することができる。
宅内電力消費量蓄積装置（３５１−３）は、受信装置（３５１−２）で受信された宅内電力消費量と宅内電力消費量取得時刻と負荷装置種別とを関係付けて宅内電力消費量記憶装置（３５１−１）に蓄積する。
【０２２３】
第６の実施形態を利用することによって、以下の効果を得ることが可能である。
第１の実施形態から第５の実施形態まででは、宅内電力管理装置毎に異なる識別子を利用していたため、地域電力管理装置では、宅内電力消費量と宅内電力消費量取得時刻との送信元を特定し易くなっていた。
【０２２４】
第６の実施形態では、宅内電力管理装置毎に異なる識別子を利用しないため、地域電力管理装置では、宅内電力消費量と宅内電力消費量取得時刻との送信元を特定できない。
【０２２５】
（第７の実施形態）
以上の第１の実施形態から第６の実施形態までで説明した各装置は、複数の機能を実現するためのプログラムをコンピュータ読み取り可能な記録媒体に記録して、この記録媒体に記録されたプログラムをコンピュータシステムに読み込ませ、実行することによって、各機能部の処理を実現してもよい。なお、ここでいう「コンピュータシステム」とは、ＯＳ（Ｏｐｅｒａｉｎｇ  Ｓｙｓｔｅｍ）や周辺機器等のハードウェアを含むものとする。
【０２２６】
また、「コンピュータシステム」は、ＷＷＷ（Ｗｏｒｌｄ  Ｗｉｄｅ  Ｗｅｂ）システムを利用している場合であれば、ホームページ提供環境（あるいは表示環境）も含むものとする。
【０２２７】
また、前記プログラムは前述した機能の一部を実現するためのものであってもよく、さらに前述した機能をコンピュータシステムに既に記録されているプログラムとの組み合わせで実現できるものであってもよい。
【０２２８】
また、上記プログラムを格納した「記録媒体」とは、フレキシブルディスク、光磁気ディスク、ＲＯＭ（Ｒｅａｄ  Ｏｎｌｙ  Ｍｅｍｏｒｙ）、ＣＤ−ＲＯＭ等のコンピュータ読み取り可能な可搬媒体、コンピュータシステムに内蔵されるハードディスク等の記憶装置などのことをいう。さらには、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。
【０２２９】
（第８の実施形態）
以上の第１の実施形態から第６の実施形態までで説明した、各装置の各機能部は、これらの機能を実現する回路デバイス、ＩＣ（Ｉｎｔｅｇｒａｔｅｄ  Ｃｉｒｃｕｉｔ）などの集積回路、などのハードウェアを用いて構成することができる。また、これら機能部はそれぞれ個別に構成してもよいし、複数の機能部を単一のハードウェアによって構成することもできる。
【０２３０】
以上の第１の実施形態から第６の実施形態までで説明した、添付図面に図示されている構成などについては、これらに限定されるものではなく、本発明の効果を発揮する範囲内で適宜変更することが可能である。その他、本発明の目的の範囲を逸脱しない限りにおいて適宜変更して実施することが可能である。
【０２３１】
また、本発明の各構成要素は、任意に取捨選択することができ、取捨選択した構成を具備する発明も本発明に含まれるものである。
【産業上の利用可能性】
【０２３２】
本発明は、地域電力管理システムに利用可能である。
【符号の説明】
【０２３３】
１０１：宅内機器１
１０２：宅内機器２
１０３：宅内機器３
１０ｎ：宅内機器ｎ
１１１：宅内情報管理装置１
１１２：宅内情報管理装置２
１１３：宅内情報管理装置３
１１ｎ：宅内情報管理装置ｎ
１２１：地域情報管理装置
１３１：コンテンツ提供装置１
１３２：コンテンツ提供装置２
１３３：コンテンツ提供装置３
１３ｎ：コンテンツ提供装置ｎ
１４１：コンテンツ視聴装置１
１４２：コンテンツ視聴装置２
１４３：コンテンツ視聴装置３
１４ｎ：コンテンツ視聴装置ｎ
２０１：負荷装置１
２０２：負荷装置２
２０３：負荷装置３
２０ｎ：負荷装置ｎ
２１１：分電装置
２２１：宅内情報管理装置
２３１：コンテンツ視聴装置
４０１：拠点１
４０２：拠点２
４０３：拠点３
４０ｎ：拠点ｎ
３５１：地域電力管理装置
４１１：コンテンツ提供装置１
４１２：コンテンツ提供装置２
４１３：コンテンツ提供装置３
４１ｎ：コンテンツ提供装置ｎ
３０１：電力源
３１１：分電装置
３２１：宅内電力管理装置
３３１：負荷装置１
３３２：負荷装置２
３３３：負荷装置３
３３ｎ：負荷装置ｎ
３４１：コンテンツ受信装置
３１１−１：宅内電力消費量取得装置
３１１−２：送信装置
３３１−１：宅内電力消費量取得装置
３３１−２：送信装置
３２１−１：宅内電力消費量記憶装置
３２１−２：受信装置
３２１−３：宅内電力消費量蓄積装置
３２１−４：宅内電力消費量取得装置
３２１−５：送信装置
３５１−１：宅内電力消費量記憶装置
３５１−２：受信装置
３５１−３：宅内電力消費量蓄積装置
３５１−４：部分電力消費量記憶装置
３５１−５：部分電力消費量取得装置
３５１−６：部分電力消費量算出装置
３５１−７：部分電力消費量蓄積装置
３４１−１：送信装置
３４１−２：受信装置
３４１−３：コンテンツ視聴装置
４１１−１：アドバイス記憶装置
４１１−２：アドバイス取得装置
４１１−３：宅内電力消費量取得装置
４１１−４：地域電力消費量算出装置
４１１−５：地域電力消費量蓄積装置
４１１−６：アドバイス順位更新装置
４１１−７：受信装置
４１１−８：コンテンツ作成装置
４１１−９：送信装置
４１１−１０：コンテンツ構成装置
４１１−１１：部分電力消費量取得装置
【図１】
2014026330.tif 000003
【図２】
2014026330.tif 000004
【図３】
2014026330.tif 000005
【図４Ａ】
2014026330.tif 000006
【図４Ｂ】
2014026330.tif 000007
【図５Ａ】
2014026330.tif 000008
【図５Ｂ】
2014026330.tif 000009
【図６】
2014026330.tif 000010
【図７Ａ】
2014026330.tif 000011
【図７Ｂ】
2014026330.tif 000012
【図８Ａ】
2014026330.tif 000013
【図８Ｂ】
2014026330.tif 000014
【図８Ｃ】
2014026330.tif 000015
【図８Ｄ】
2014026330.tif 000016
【図９】
2014026330.tif 000017
【図１０Ａ】
2014026330.tif 000018
【図１０Ｂ】
2014026330.tif 000019
【図１１Ａ】
2014026330.tif 000020
【図１１Ｂ】
2014026330.tif 000021
【図１１Ｃ】
2014026330.tif 000022
【図１１Ｄ】
2014026330.tif 000023